(57)【要約】  本発明の実施形態が、データ伝送方法、ネットワーク装置、及び端末を提供する。データ伝送方法は、第１の端末装置によって送信される第１の参照信号及び第１の物理チャネルをネットワーク装置によって受信する段階であって、第１の参照信号はスロット内のｉ番目のシンボルにあり、ｉは７より小さい正の整数であり、第１の物理チャネルはスロット内のｎ個のシンボルを占有し、ｎは１、２、又は３である、段階と、第１の参照信号に従って第１の物理チャネルをネットワーク装置によって復調する段階とを含む。本発明によれば、データ伝送レイテンシが減少し得る。
2018538729.tif 000002
【特許請求の範囲】
【請求項１】
データ伝送方法であって、
第１の端末装置によって送信される第１の参照信号及び第１の物理チャネルをネットワーク装置によって受信する段階であって、前記第１の参照信号はスロット内のｉ番目のシンボルにあり、ｉは７より小さい正の整数であり、前記第１の物理チャネルは前記スロット内のｎ個のシンボルを占有し、ｎは１、２、又は３である、段階と、
前記第１の参照信号に従って前記第１の物理チャネルを前記ネットワーク装置によって復調する段階とを備える、方法。
【請求項２】
前記スロットは７個のシンボルを有し、ｉは４であり、前記第１の物理チャネルは第１のシンボルセット又は第２のシンボルセットにあり、
前記第１のシンボルセットは、７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項１に記載の方法。
【請求項３】
第１の端末装置によって送信される第１の参照信号及び第１の物理チャネルをネットワーク装置によって受信する前記段階の前に、
第１のダウンリンク制御情報を前記第１の端末装置へ前記ネットワーク装置によって送信する段階をさらに備え、前記第１のダウンリンク制御情報は、前記第１の参照信号を示すのに用いられる構成情報を含む、請求項１又は２に記載の方法。
【請求項４】
前記第１の参照信号は周波数ドメインにおいて連続したサブキャリアを占有し、前記第１の参照信号によって占有されるサブキャリア数が、前記第１の物理チャネルによって占有されるサブキャリア数より大きい又はそれに等しいか、又は、
前記第１の参照信号は周波数ドメインにおいて偶数のサブキャリアもしくは奇数のサブキャリアを占有し、前記第１の参照信号によって占有されるサブキャリア数の２倍が、前記第１の物理チャネルによって占有されるサブキャリア数より大きい又はそれに等しい、請求項１から３のいずれか一項に記載の方法。
【請求項５】
第１の端末装置によって送信される第１の参照信号及び第１の物理チャネルをネットワーク装置によって受信する前記段階の後に、
前記第１の端末装置によって送信される第２の物理チャネルを前記ネットワーク装置によって受信する段階であって、前記第２の物理チャネルは前記スロット内のｍ個のシンボルを占有し、ｍは１、２、又は３であり、前記第２の物理チャネルによって占有される前記シンボルは、前記第１の物理チャネルによって占有される前記シンボルと異なる、段階と、
前記第１の参照信号に従って前記第２の物理チャネルを前記ネットワーク装置によって復調する段階とをさらに備える、請求項１から４のいずれか一項に記載の方法。
【請求項６】
前記スロットが７個の前記シンボルを含み、ｉが４である場合、前記第２の物理チャネルによって占有される前記シンボルが前記第１の物理チャネルによって占有される前記シンボルと異なるということは、
前記第１の物理チャネルが前記第１のシンボルセットにあり、前記第２の物理チャネルが前記第２のシンボルセットにあるか、又は前記第１の物理チャネルが前記第２のシンボルセットにあり、前記第１の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項５に記載の方法。
【請求項７】
前記第１の参照信号は前記周波数ドメインにおいて連続した前記サブキャリアを占有し、前記第１の参照信号によって占有される前記サブキャリア数は、前記第１の物理チャネルによって占有される前記サブキャリア数より大きい又はそれに等しく、前記第１の参照信号によって占有される前記サブキャリア数は、前記第２の物理チャネルによって占有されるサブキャリア数より大きい又はそれに等しいか、又は、
前記第１の参照信号は、前記周波数ドメインにおいて偶数の前記サブキャリアもしくは奇数の前記サブキャリアを占有し、前記第１の参照信号によって占有される前記サブキャリア数の２倍が、前記第１の物理チャネルによって占有される前記サブキャリア数より大きい又はそれに等しく、前記第１の参照信号によって占有される前記サブキャリア数の２倍が、前記第２の物理チャネルによって占有されるサブキャリア数より大きい又はそれに等しい、請求項５又は６に記載の方法。
【請求項８】
第２の端末装置によって送信される第２の参照信号及び第３の物理チャネルに関する情報を前記ネットワーク装置によって受信する段階であって、前記第２の参照信号は前記スロット内のｉ番目のシンボルにあり、ｉは７より小さい前記正の整数であり、前記第３の物理チャネルは前記スロット内のｐ個のシンボルを占有し、ｐは１、２、又は３である、段階と、
前記第２の参照信号に従って前記第３の物理チャネルを前記ネットワーク装置によって復調する段階とをさらに備え、
前記第１の物理チャネルによって占有される前記シンボルは、前記第３の物理チャネルによって占有される前記シンボルと異なる、請求項１から３のいずれか一項に記載の方法。
【請求項９】
第２の端末装置によって送信される第２の参照信号及び第３の物理チャネルを前記ネットワーク装置によって受信する前記段階の前に、
第２のダウンリンク制御情報を前記第２の端末装置へ前記ネットワーク装置によって送信する段階をさらに備え、前記第２のダウンリンク制御情報は、前記第２の参照信号を示すのに用いられる構成情報を含む、請求項８に記載の方法。
【請求項１０】
前記第１の参照信号は、周波数ドメインにおいて奇数のサブキャリアを占有し、前記第２の参照信号は、前記周波数ドメインにおいて偶数のサブキャリアを占有するか、又は、
前記第２の参照信号は、周波数ドメインにおいて奇数のサブキャリアを占有し、前記第１の参照信号は、前記周波数ドメインにおいて偶数のサブキャリアを占有し、
前記第１の参照信号によって占有されるサブキャリア数の２倍が、前記第１の物理チャネルによって占有されるサブキャリア数より大きい又はそれに等しく、前記第２の参照信号によって占有されるサブキャリア数の２倍が、前記第３の物理チャネルによって占有されるサブキャリア数より大きい又はそれに等しい、請求項８又は９に記載の方法。
【請求項１１】
前記スロットが７個の前記シンボルを含み、ｉが４である場合、前記第１の物理チャネルによって占有される前記シンボルが前記第３の物理チャネルによって占有される前記シンボルと異なるということは、
前記第１の物理チャネルが前記第１のシンボルセットにあり、前記第３の物理チャネルが前記第２のシンボルセットにあるか、又は前記第１の物理チャネルが前記第２のシンボルセットにあり、前記第３の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項８から１０のいずれか一項に記載の方法。
【請求項１２】
前記第１の参照信号に従って前記第１の物理チャネルを前記ネットワーク装置によって復調する前記段階は、
ベースシーケンスを前記ネットワーク装置によって生成する段階であって、前記ベースシーケンスの長さは、前記第１の物理チャネルによって占有される前記サブキャリア数より大きい又はそれに等しい、段階と、
初期の参照信号シーケンスを取得するために、前記ベースシーケンスに対して巡回シフトを前記ネットワーク装置によって実行する段階と、
前記第１の参照信号のシーケンスを取得するために、前記初期の参照信号シーケンスを前記ネットワーク装置によって間隔をあけてサンプリングする段階と、
前記第１の参照信号の前記シーケンスに従って前記第１の物理チャネルを前記ネットワーク装置によって復調する段階とを含む、請求項４、７、又は１０のいずれか一項に記載の方法。
【請求項１３】
データ伝送方法であって、
第１の参照信号及び第１の物理チャネルを端末装置によって構成する段階であって、前記第１の参照信号はスロット内のｉ番目のシンボルにあり、ｉは７より小さい正の整数であり、前記第１の物理チャネルは前記スロット内のｎ個のシンボルを占有し、ｎは１、２、又は３である、段階と、
前記第１の参照信号及び前記第１の物理チャネルをネットワーク装置へ前記端末装置によって送信する段階とを備える、方法。
【請求項１４】
前記スロットは７個のシンボルを有し、ｉは４であり、前記第１の物理チャネルは第１のシンボルセット又は第２のシンボルセットにあり、
前記第１のシンボルセットは、７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項１３に記載の方法。
【請求項１５】
第１の参照信号及び第１の物理チャネルを端末装置によって構成する前記段階の前に、
前記ネットワーク装置によって送信される第１のダウンリンク制御情報を前記端末装置によって受信する段階をさらに備え、前記第１のダウンリンク制御情報は、前記第１の参照信号を示すのに用いられる構成情報を含む、請求項１３又は１４に記載の方法。
【請求項１６】
前記第１の参照信号は連続したサブキャリアを占有し、前記第１の参照信号によって占有されるサブキャリア数が、前記第１の物理チャネルによって占有されるサブキャリア数より大きい又はそれに等しい、請求項１３から１５のいずれか一項に記載の方法。
【請求項１７】
前記第１の参照信号は、周波数ドメインにおいて奇数のサブキャリア又は偶数のサブキャリアを占有し、前記第１の参照信号によって占有されるサブキャリア数の２倍が、前記第１の物理チャネルによって占有されるサブキャリア数より大きい又はそれに等しい、請求項１３から１５のいずれか一項に記載の方法。
【請求項１８】
第１の参照信号を端末装置によって構成する前記段階は、
前記第１の参照信号のシーケンスを前記端末装置によって生成する段階と、
前記第１の参照信号の前記シーケンスを偶数の前記サブキャリア又は奇数の前記サブキャリアに前記端末装置によってマッピングする段階とを有する、請求項１７に記載の方法。
【請求項１９】
前記第１の参照信号のシーケンスを前記端末装置によって生成する前記段階は、
ベースシーケンスを前記端末装置によって生成する段階であって、前記ベースシーケンスの長さは、前記第１の物理チャネルによって占有される前記サブキャリア数より大きい又はそれに等しい、段階と、
初期の参照信号シーケンスを取得するために、前記ベースシーケンスに対して巡回シフトを前記端末装置によって実行する段階と、
前記第１の参照信号の前記シーケンスを取得するために、前記初期の参照信号シーケンスを前記端末装置によって間隔をあけてサンプリングする段階とを有する、請求項１８に記載の方法。
【請求項２０】
前記第１の参照信号がさらに、第２の物理チャネルを復調するのに用いられ得る場合、
前記第２の物理チャネルを前記端末装置によって構成する段階であって、前記第２の物理チャネルは前記スロット内のｍ個のシンボルを占有し、ｍは１、２、又は３であり、前記第２の物理チャネルによって占有される前記シンボルは、前記第１の物理チャネルによって占有される前記シンボルと異なる、段階と、
前記第２の物理チャネルを前記ネットワーク装置へ前記端末装置によって送信する段階とをさらに備える、請求項１３から１９のいずれか一項に記載の方法。
【請求項２１】
前記スロットが７個の前記シンボルを含み、ｉが４である場合、前記第２の物理チャネルによって占有される前記シンボルが前記第１の物理チャネルによって占有される前記シンボルと異なるということは、
前記第１の物理チャネルが前記第１のシンボルセットにあり、前記第２の物理チャネルが前記第２のシンボルセットにあるか、又は前記第１の物理チャネルが前記第２のシンボルセットにあり、前記第１の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項２０に記載の方法。
【請求項２２】
ネットワーク装置であって、
第１の端末装置によって送信される第１の参照信号及び第１の物理チャネルを受信するように構成された第１の受信ユニットであって、前記第１の参照信号はスロット内のｉ番目のシンボルにあり、ｉは７より小さい正の整数であり、前記第１の物理チャネルは前記スロット内のｎ個のシンボルを占有し、ｎは１、２、又は３である、第１の受信ユニットと、
前記第１の参照信号に従って前記第１の物理チャネルを復調するように構成された第１の処理ユニットとを含む、装置。
【請求項２３】
前記スロットは７個のシンボルを有し、ｉは４であり、前記第１の物理チャネルは第１のシンボルセット又は第２のシンボルセットにあり、
前記第１のシンボルセットは、７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項２２に記載の装置。
【請求項２４】
前記第１の受信ユニットが前記第１の端末装置によって送信される前記第１の参照信号及び前記第１の物理チャネルを受信する前に、第１のダウンリンク制御情報を前記第１の端末装置へ送信するように構成された第１の送信ユニットをさらに備え、前記第１のダウンリンク制御情報は、前記第１の参照信号を示すのに用いられる構成情報を含む、請求項２２又は２３に記載の装置。
【請求項２５】
前記第１の参照信号は周波数ドメインにおいて連続したサブキャリアを占有し、前記第１の参照信号によって占有されるサブキャリア数が、前記第１の物理チャネルによって占有されるサブキャリア数より大きい又はそれに等しいか、又は、
前記第１の参照信号は周波数ドメインにおいて奇数のサブキャリアもしくは偶数のサブキャリアを占有し、前記第１の参照信号によって占有されるサブキャリア数の２倍が、前記第１の物理チャネルによって占有されるサブキャリア数より大きい又はそれに等しい、請求項２２から２４のいずれか一項に記載の装置。
【請求項２６】
前記第１の受信ユニットはさらに、前記第１の端末装置によって送信される前記第１の参照信号及び前記第１の物理チャネルを受信した後に、前記第１の端末装置第１の端末装置によって送信される第２の物理チャネルを受信するように構成され、前記第２の物理チャネルは前記スロット内のｍ個のシンボルを占有し、ｍは１、２、又は３であり、前記第２の物理チャネルによって占有される前記シンボルは、前記第１の物理チャネルによって占有される前記シンボルと異なり、
前記第１の処理ユニットはさらに、前記第１の参照信号に従って前記第２の物理チャネルを復調するように構成される、請求項２２から２５のいずれか一項に記載の装置。
【請求項２７】
前記スロットが７個の前記シンボルを含み、ｉが４である場合、前記第２の物理チャネルによって占有される前記シンボルが前記第１の物理チャネルによって占有される前記シンボルと異なるということは、
前記第１の物理チャネルが前記第１のシンボルセットにあり、前記第２の物理チャネルが前記第２のシンボルセットにあるか、又は前記第１の物理チャネルが前記第２のシンボルセットにあり、前記第１の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項２６に記載の装置。
【請求項２８】
前記第１の参照信号は前記周波数ドメインにおいて連続した前記サブキャリアを占有し、前記第１の参照信号によって占有される前記サブキャリア数は、前記第１の物理チャネルによって占有される前記サブキャリア数より大きい又はそれに等しく、前記第１の参照信号によって占有される前記サブキャリア数は、前記第２の物理チャネルによって占有されるサブキャリア数より大きい又はそれに等しいか、又は、
前記第１の参照信号は、前記周波数ドメインにおいて偶数の前記サブキャリアもしくは奇数の前記サブキャリアを占有し、前記第１の参照信号によって占有される前記サブキャリア数の２倍が、前記第１の物理チャネルによって占有される前記サブキャリア数より大きい又はそれに等しく、前記第１の参照信号によって占有される前記サブキャリア数の２倍が、前記第２の物理チャネルによって占有されるサブキャリア数より大きい又はそれに等しい、請求項２６又は２７に記載の装置。
【請求項２９】
前記第１の受信ユニットはさらに、第２の端末装置によって送信される第２の参照信号及び第３の物理チャネルに関する情報を受信するように構成され、前記第２の参照信号は前記スロット内のｉ番目のシンボルにあり、ｉは７より小さい前記正の整数であり、前記第３の物理チャネルは前記スロット内のｐ個のシンボルを占有し、ｐは１、２、又は３であり、
前記ネットワーク装置は、前記第２の参照信号に従って前記第３の物理チャネルを復調し、
前記第１の物理チャネルによって占有される前記シンボルは、前記第３の物理チャネルによって占有される前記シンボルと異なる、請求項２２から２４のいずれか一項に記載の装置。
【請求項３０】
前記第１の送信ユニットはさらに、前記第２の端末装置によって送信される前記第２の参照信号及び前記第２の物理チャネルを前記第１の受信ユニットが受信する前に、第２のダウンリンク制御情報を前記第２の端末装置へ送信するように構成され、前記第２のダウンリンク制御情報は、前記第２の参照信号を示すのに用いられる構成情報を含む、請求項２９に記載の装置。
【請求項３１】
前記第１の参照信号は、周波数ドメインにおいて奇数のサブキャリアを占有し、前記第２の参照信号は、前記周波数ドメインにおいて偶数のサブキャリアを占有するか、又は、
前記第２の参照信号は、周波数ドメインにおいて奇数のサブキャリアを占有し、前記第１の参照信号は、前記周波数ドメインにおいて偶数のサブキャリアを占有するか、又は、
前記第１の参照信号によって占有されるサブキャリア数の２倍が、前記第１の物理チャネルによって占有されるサブキャリア数より大きい又はそれに等しく、前記第２の参照信号によって占有されるサブキャリア数の２倍が、前記第３の物理チャネルによって占有されるサブキャリア数より大きい又はそれに等しい、請求項２９又は３０に記載の装置。
【請求項３２】
前記スロットが７個の前記シンボルを含み、ｉが４である場合、前記第１の物理チャネルによって占有される前記シンボルが前記第３の物理チャネルによって占有される前記シンボルと異なるということは、
前記第１の物理チャネルが前記第１のシンボルセットにあり、前記第３の物理チャネルが前記第２のシンボルセットにあるか、又は前記第１の物理チャネルが前記第２のシンボルセットにあり、前記第３の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項２９から３１のいずれか一項に記載の装置。
【請求項３３】
前記第１の処理ユニットはさらに、
長さが前記第１の物理チャネルによって占有される前記サブキャリア数より大きい又はそれに等しいベースシーケンスを生成し、
初期の参照信号シーケンスを取得するために、前記ベースシーケンスに対して巡回シフトを実行し、
前記第１の参照信号のシーケンスを取得するために、前記初期の参照信号シーケンスを間隔をあけてサンプリングし、
前記第１の参照信号の前記シーケンスに従って前記第１の物理チャネルを復調するように構成される、請求項２８又は３１に記載の装置。
【請求項３４】
端末装置であって
第１の参照信号及び第１の物理チャネルを構成するように構成された第２の処理ユニットであって、前記第１の参照信号はスロット内のｉ番目のシンボルにあり、ｉは７より小さい正の整数であり、前記第１の物理チャネルは前記スロット内のｎ個のシンボルを占有し、ｎは１、２、又は３である、第２の処理ユニットと、
前記第１の参照信号及び前記第１の物理チャネルをネットワーク装置へ送信するように構成された第２の送信ユニットとを含む、装置。
【請求項３５】
前記スロットは７個のシンボルを有し、ｉは４であり、前記第１の物理チャネルは第１のシンボルセット又は第２のシンボルセットにあり、前記第１のシンボルセットは、７個の前記シンボルのうち最初の３個を含み、
前記第２のシンボルセットは、７個の前記シンボルのうち５番目のシンボル、６番目のシンボル、及び７番目のシンボルを含むか、又は
前記第２のシンボルセットは、７個の前記シンボルのうち５番目のシンボル及び６番目のシンボルを含む、請求項３４に記載の装置。
【請求項３６】
前記第２の処理ユニットが前記第１の参照信号及び前記第１の物理チャネルを構成する前に、前記ネットワーク装置によって送信される第１のダウンリンク制御情報を受信するように構成された第２の受信ユニットをさらに備え、これにより、前記処理ユニットは、前記第１のダウンリンク制御情報に従って前記第１の参照信号を構成し、前記第１のダウンリンク制御情報は、前記第１の参照信号を示すのに用いられる構成情報を含む、請求項３４又は３５に記載の装置。
【請求項３７】
前記第１の参照信号は連続したサブキャリアを占有し、前記第１の参照信号によって占有されるサブキャリア数が、前記第１の物理チャネルによって占有されるサブキャリア数より大きい又はそれに等しい、請求項３４から３６のいずれか一項に記載の装置。
【請求項３８】
前記第１の参照信号は、周波数ドメインにおいて奇数のサブキャリア又は偶数のサブキャリアを占有し、前記第１の参照信号によって占有されるサブキャリア数の２倍が、前記第１の物理チャネルによって占有されるサブキャリア数より大きい又はそれに等しい、請求項３４から３６のいずれか一項に記載の装置。
【請求項３９】
前記第２の処理ユニットはさらに、
前記第１の参照信号のシーケンスを生成し、
前記第１の参照信号の前記シーケンスを偶数の前記サブキャリア又は奇数の前記サブキャリアにマッピングするように構成される、請求項３８に記載の装置。
【請求項４０】
前記第２の処理ユニットはさらに、
長さが前記第１の物理チャネルによって占有される前記サブキャリア数より大きい又はそれに等しいベースシーケンスを生成し、
初期の参照信号シーケンスを取得するために、前記ベースシーケンスに対して巡回シフトを実行し、
前記第１の参照信号の前記シーケンスを取得するために、前記初期の参照信号シーケンスを間隔をあけてサンプリングするように構成される、請求項３９に記載の装置。
【請求項４１】
前記第１の参照信号がさらに第２の物理チャネルの復調に用いられる場合、
前記第２の処理ユニットはさらに、前記第２の物理チャネルを構成するように構成され、前記第２の物理チャネルは前記スロット内のｍ個のシンボルを占有し、ｍは１、２、又は３であり、前記第２の物理チャネルによって占有される前記シンボルは、前記第１の物理チャネルによって占有される前記シンボルと異なり、
前記第２の送信ユニットはさらに、前記第２の物理チャネルを前記ネットワーク装置へ送信するように構成される、請求項３４から４０のいずれか一項に記載の装置。
【請求項４２】
前記スロットが７個の前記シンボルを含み、ｉが４である場合、前記第２の物理チャネルによって占有される前記シンボルが前記第１の物理チャネルによって占有される前記シンボルと異なるということは、
前記第１の物理チャネルが前記第１のシンボルセットにあり、前記第２の物理チャネルが前記第２のシンボルセットにあるか、又は前記第１の物理チャネルが前記第２のシンボルセットにあり、前記第１の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項４１に記載の装置。
【発明の詳細な説明】
【技術分野】
【０００１】
本発明は通信分野に関し、詳細には、データ伝送方法、ネットワーク装置、及び端末装置に関する。
【背景技術】
【０００２】
ＬＴＥ（Ｌｏｎｇ  Ｔｅｒｍ  Ｅｖｏｌｕｔｉｏｎ、ロングタームエボリューション）は、３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃ、第３世代パートナーシッププロジェクト）標準化団体によって開発された技術標準である。ＬＴＥシステムでは、１個のサブフレームの継続時間が１ｍｓであり、各サブフレームは２個のスロット（ｓｌｏｔ）に均等に分割されており、各スロットの継続時間は０．５ｍｓである。ＬＴＥシステムでは、伝送時間間隔（Ｔｒａｎｓｍｉｓｓｉｏｎ  Ｔｉｍｅ  Ｉｎｔｅｒｖａｌ、ＴＴＩ）が、１個のサブフレームの継続時間である。
【０００３】
無線通信システムにおいて、レイテンシ（ｌａｔｅｎｃｙ）は、ユーザエクスペリエンスに影響を及ぼす重要な要因の１つである。ＬＴＥシステムのアップリンク伝送の間、基地局は、物理アップリンク共有チャネル（Ｐｈｙｓｉｃａｌ  Ｕｐｌｉｎｋ  Ｓｈａｒｅ  Ｃｈａｎｎｅｌ、略してＰＤＳＣＨ）情報を受信した後、特定の時間が経過した後に、受信結果を端末装置へフィードバックする必要がある。例えば、受信が正しい場合には、肯定応答文字（Ａｃｋｎｏｗｌｅｄｇｅｍｅｎｔ、略してＡＣＫ）がフィードバックされ、受信が正しくない場合には、否定応答文字（Ｎｅｇａｔｉｖｅ  ＡＣＫｎｏｗｌｅｄｇｍｅｎｔ、略してＮＡＣＫ）がフィードバックされる。各データパケットが１個のサブフレームで送信される場合、基地局は、データパケットを復号化するのに比較的長い時間を費やす。さらに、データパケットの受信が正しくない場合、データパケットの再伝送とデータパケットの初期伝送との間の最小時間間隔も比較的長い。これにより、比較的長いデータ伝送レイテンシ（ｌａｔｅｎｃｙ）がもたらされ、その結果、ユーザの使用体験に影響を及ぼす。
【発明の概要】
【０００４】
このような事情を考慮して、本発明の実施形態の目的は、データ伝送レイテンシが比較的長いという問題を解決するために、データ伝送方法、ネットワーク装置、及び端末装置を提供することである。
【０００５】
前述の技術的問題を解決するために、本発明の実施形態は、以下の技術的解決手段を開示する。
【０００６】
第１の態様によれば、データ伝送方法が提供され、本方法は、第１の端末装置によって送信される第１の参照信号及び第１の物理チャネルを端末装置によって受信する段階であって、第１の参照信号はスロット内のｉ番目のシンボルにあり、ｉは７より小さい正の整数であり、第１の物理チャネルはスロット内のｎ個のシンボルを占有し、ｎは１、２、又は３である、段階と、第１の参照信号に従って第１の物理チャネルを端末装置によって復調する段階とを含む。
【０００７】
第１の態様に関連して、第１の態様の第１の可能な実施例では、スロットは７個のシンボルを含み、ｉは４であり、第１の物理チャネルは、第１のシンボルセット又は第２のシンボルセットにあり、第１のシンボルセットは、７個のシンボルのうち最初の３個を含み、第２のシンボルセットは、７個のシンボルのうち５番目のシンボル、６番目のシンボル、及び７番目のシンボルを含むか、又は、第２のシンボルセットは、７個のシンボルのうち５番目のシンボル及び６番目のシンボルを含む。
【０００８】
第１の態様又は第１の態様の第１の可能な実施例に関連して、第１の態様の第２の可能な実施例では、第１の端末装置によって送信される第１の参照信号及び第１の物理チャネルを端末装置によって受信する段階の前に、本方法はさらに、第１のダウンリンク制御情報を第１の端末装置へ端末装置によって送信する段階を含み、第１のダウンリンク制御情報は、第１の参照信号を示すのに用いられる構成情報を含む。
【０００９】
第１の態様から第１の態様の第２の可能な実施例のいずれか１つに関連して、第１の態様の第３の可能な実施例では、第１の参照信号は、周波数ドメインにおいて連続したサブキャリアを占有し、第１の参照信号によって占有されるサブキャリア数は、第１の物理チャネルによって占有されるサブキャリア数より大きい又はそれに等しいか、又は、第１の参照信号は、周波数ドメインにおいて奇数のサブキャリアもしくは偶数のサブキャリアを占有し、第１の参照信号によって占有されるサブキャリア数の２倍が、第１の物理チャネルによって占有されるサブキャリア数より大きい又はそれに等しい。
【００１０】
第１の態様から第１の態様の第３の可能な実施例のいずれか１つに関連して、第１の態様の第４の可能な実施例では、第１の端末装置によって送信される第１の参照信号及び第１の物理チャネルを端末装置によって受信する段階の後に、本方法はさらに、第１の端末装置によって送信される第２の物理チャネルを端末装置によって受信する段階であって、第２の物理チャネルはスロット内のｍ個のシンボルを占有し、ｍは１、２、又は３であり、第２の物理チャネルによって占有されるシンボルは、第１の物理チャネルによって占有されるシンボルと異なる、段階と、第１の参照信号に従って第２の物理チャネルを端末装置によって復調する段階とを含む。
【００１１】
第１の態様の第４の可能な実施例に関連して、第１の態様の第５の可能な実施例では、スロットが７個のシンボルを含み、ｉが４である場合、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は第１の物理チャネルが第２のシンボルセットにあり、第１の物理チャネルが第１のシンボルセットにあることを含み、第１のシンボルセットは７個のシンボルのうち最初の３個を含み、第２のシンボルセットは、７個のシンボルのうち５番目のシンボル、６番目のシンボル、及び７番目のシンボルを含むか、又は第２のシンボルセットは７個のシンボルのうち５番目のシンボル及び６番目のシンボルを含む。
【００１２】
第１の態様の第４の可能な実施例又は第１の態様の第５の可能な実施例に関連して、第１の態様の第６の可能な実施例では、第１の参照信号は周波数ドメインにおいて連続したサブキャリアを占有し、第１の参照信号によって占有されるサブキャリア数は、第１の物理チャネルによって占有されるサブキャリア数より大きい又はそれに等しく、第１の参照信号によって占有されるサブキャリア数は、第２の物理チャネルによって占有されるサブキャリア数より大きい又はそれに等しいか、又は、第１の参照信号は、周波数ドメインにおいて偶数のサブキャリアもしくは奇数のサブキャリアを占有し、第１の参照信号によって占有されるサブキャリア数の２倍が、第１の物理チャネルによって占有されるサブキャリア数より大きい又はそれに等しく、第１の参照信号によって占有されるサブキャリア数の２倍が、第２の物理チャネルによって占有されるサブキャリア数より大きい又はそれに等しい。
【００１３】
第１の態様から第１の態様の第２の可能な実施例のいずれか１つに関連して、第１の態様の第７の可能な実施例では、本方法はさらに、第２の端末装置によって送信される第２の参照信号及び第３の物理チャネルに関する情報を端末装置によって受信する段階であって、第２の参照信号はスロット内のｉ番目のシンボルにあり、ｉは７より小さい正の整数であり、第３の物理チャネルはスロット内のｐ個のシンボルを占有し、ｐは１、２、又は３である、段階と、第２の参照信号に従って第３の物理チャネルを端末装置によって復調する段階であって、第１の物理チャネルによって占有されるシンボルは、第３の物理チャネルによって占有されるシンボルと異なる、段階とを含む。
【００１４】
第１の態様の第７の可能な実施例に関連して、第１の態様の第８の可能な実施例では、第２の端末装置によって送信される第２の参照信号及び第３の物理チャネルを端末装置によって受信する段階の前に、本方法はさらに、第２のダウンリンク制御情報を第２の端末装置へ端末装置によって送信する段階を含み、第２のダウンリンク制御情報は、第２の参照信号を示すのに用いられる構成情報を含む。
【００１５】
第１の態様の第７の可能な実施例又は第１の態様の第８の可能な実施例に関連して、第１の態様の第９の可能な実施例では、第１の参照信号は、周波数ドメインにおいて奇数のサブキャリアを占有し、第２の参照信号は、周波数ドメインにおいて偶数のサブキャリアを占有するか、又は、第２の参照信号は、周波数ドメインにおいて奇数のサブキャリアを占有し、第１の参照信号は、周波数ドメインにおいて偶数のサブキャリアを占有するか、又は、第１の参照信号によって占有されるサブキャリア数の２倍が、第１の物理チャネルによって占有されるサブキャリア数より大きい又はそれに等しく、第２の参照信号によって占有されるサブキャリア数の２倍が、第３の物理チャネルによって占有されるサブキャリア数より大きい又はそれに等しい。
【００１６】
第１の態様の第７の可能な実施例から第１の態様の第９の可能な実施例のいずれか１つに関連して、第１の態様の第１０の可能な実施例では、スロットが７個のシンボルを含み、ｉが４である場合、第１の物理チャネルによって占有されるシンボルが第３の物理チャネルによって占有されるシンボルと異なるということは、第１の物理チャネルが第１のシンボルセットにあり、第３の物理チャネルが第２のシンボルセットにあるか、又は、第１の物理チャネルが第２のシンボルセットにあり、第３の物理チャネルが第１のシンボルセットにあることを含み、第１のシンボルセットは、７個のシンボルのうち最初の３個を含み、第２のシンボルセットは、７個のシンボルのうち５番目のシンボル、６番目のシンボル、及び７番目のシンボルを含むか、又は、第２のシンボルセットは、７個のシンボルのうち５番目のシンボル及び６番目のシンボルを含む。
【００１７】
第１の態様の第６の可能な実施例又は第１の態様の第９の可能な実施例に関連して、第１の態様の第１１の可能な実施例では、第１の参照信号に従って第１の物理チャネルを端末装置によって復調する段階は、ベースシーケンスを端末装置によって生成する段階であって、ベースシーケンスの長さは、第１の物理チャネルによって占有されるサブキャリア数より大きい又はそれに等しい、段階と、初期の参照信号シーケンスを取得するために、ベースシーケンスに対して巡回シフトを端末装置によって実行する段階と、第１の参照信号のシーケンスを取得するために、初期の参照信号シーケンスを端末装置によって間隔をあけてサンプリングする段階と、第１の参照信号のシーケンスに従って第１の物理チャネルを端末装置によって復調する段階とを含む。
【００１８】
第２の態様によれば、データ伝送方法が提供され、本方法は、第１の参照信号及び第１の物理チャネルを端末装置によって構成する段階であって、第１の参照信号はスロット内のｉ番目のシンボルにあり、ｉは７より小さい正の整数であり、第１の物理チャネルはスロット内のｎ個のシンボルを占有し、ｎは１、２、又は３である、段階と、第１の参照信号及び第１の物理チャネルを端末装置へ端末装置によって送信する段階とを含む。
【００１９】
第２の態様に関連して、第２の態様の第１の可能な実施例では、スロットは７個のシンボルを含み、ｉは４であり、第１の物理チャネルは第１のシンボルセット又は第２のシンボルセットにあり、第１のシンボルセットは７個のシンボルのうち最初の３個を含み、第２のシンボルセットは、７個のシンボルのうち５番目のシンボル、６番目のシンボル、及び７番目のシンボルを含むか、又は、第２のシンボルセットは、７個のシンボルのうち５番目のシンボル及び６番目のシンボルを含む。
【００２０】
第２の態様又は第２の態様の第１の可能な実施例に関連して、第２の態様の第２の可能な実施例では、第１の参照信号及び第１の物理チャネルを端末装置によって構成する段階の前に、本方法はさらに、端末装置によって送信される第１のダウンリンク制御情報を端末装置によって受信する段階を含み、第１のダウンリンク制御情報は、第１の参照信号を示すのに用いられる構成情報を含む。
【００２１】
第２の態様から第２の態様の第２の可能な実施例のいずれか１つに関連して、第２の態様の第３の可能な実施例では、第１の参照信号は連続したサブキャリアを占有し、第１の参照信号によって占有されるサブキャリア数は、第１の物理チャネルによって占有されるサブキャリア数より大きい又はそれに等しい。
【００２２】
第２の態様から第２の態様の第２の可能な実施例のいずれか１つに関連して、第２の態様の第４の可能な実施例では、第１の参照信号は、周波数ドメインにおいて奇数のサブキャリア又は偶数のサブキャリアを占有し、第１の参照信号によって占有されるサブキャリア数の２倍が、第１の物理チャネルによって占有されるサブキャリア数より大きい又はそれに等しい。
【００２３】
第２の態様の第４の可能な実施例に関連して、第２の態様の第５の可能な実施例では、第１の参照信号を端末装置によって構成する段階は、第１の参照信号のシーケンスを端末装置によって生成する段階と、第１の参照信号のシーケンスを偶数のサブキャリア又は奇数のサブキャリアに端末装置によってマッピングする段階とを含む。
【００２４】
第２の態様の第５の可能な実施例に関連して、第２の態様の第６の可能な実施例では、第１の参照信号のシーケンスを端末装置によって生成する段階は、ベースシーケンスを端末装置によって生成する段階であって、ベースシーケンスの長さは、第１の物理チャネルによって占有されるサブキャリア数より大きい又はそれに等しい、段階と、初期の参照信号シーケンスを取得するために、ベースシーケンスに対して巡回シフトを端末装置によって実行する段階と、第１の参照信号のシーケンスを取得するために、初期の参照信号シーケンスを端末装置によって間隔をあけてサンプリングする段階とを含む。
【００２５】
第２の態様から第２の態様の第６の可能な実施例のいずれか１つに関連して、第２の態様の第７の可能な実施例では、第１の参照信号がさらに第２の物理チャネルの復調に用いられてよい場合、本方法はさらに、第２の物理チャネルを端末装置によって構成する段階であって、第２の物理チャネルはスロット内のｍ個のシンボルを占有し、ｍは１、２、又は３であり、第２の物理チャネルによって占有されるシンボルは、第１の物理チャネルによって占有されるシンボルと異なる、段階と、第２の物理チャネルを端末装置へ端末装置によって送信する段階とを含む。
【００２６】
第２の態様の第７の可能な実施例に関連して、第２の態様の第８の可能な実施例では、スロットが７個のシンボルを含み、ｉが４である場合、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は第１の物理チャネルが第２のシンボルセットにあり、第１の物理チャネルが第１のシンボルセットにあることを含み、第１のシンボルセットは７個のシンボルのうち最初の３個を含み、第２のシンボルセットは、７個のシンボルのうち５番目のシンボル、６番目のシンボル、及び７番目のシンボルを含むか、又は第２のシンボルセットは、７個のシンボルのうち５番目のシンボル及び６番目のシンボルを含む。
【００２７】
第３の態様によれば、ネットワーク装置が提供され、本ネットワーク装置は、第１の端末装置によって送信される第１の参照信号及び第１の物理チャネルを受信するように構成された第１の受信ユニットであって、第１の参照信号はスロット内のｉ番目のシンボルにあり、ｉは７より小さい正の整数であり、第１の物理チャネルはスロット内のｎ個のシンボルを占有し、ｎは１、２、又は３である、第１の受信ユニットと、第１の参照信号に従って第１の物理チャネルを復調するように構成された第１の処理ユニットとを含む。
【００２８】
第３の態様に関連して、第３の態様の第１の可能な実施例では、スロットは７個のシンボルを含み、ｉは４であり、第１の物理チャネルは、第１のシンボルセット又は第２のシンボルセットにあり、第１のシンボルセットは、７個のシンボルのうち最初の３個を含み、第２のシンボルセットは、７個のシンボルのうち５番目のシンボル、６番目のシンボル、及び７番目のシンボルを含むか、又は、第２のシンボルセットは、７個のシンボルのうち５番目のシンボル及び６番目のシンボルを含む。
【００２９】
第３の態様又は第３の態様の第１の可能な実施例に関連して、第３の態様の第２の可能な実施例では、本装置はさらに、第１の端末装置によって送信される第１の参照信号及び第１の物理チャネルを第１の受信ユニットが受信する前に、第１のダウンリンク制御情報を第１の端末装置へ送信するように構成された第１の送信ユニットを含み、第１のダウンリンク制御情報は、第１の参照信号を示すのに用いられる構成情報を含む。
【００３０】
第３の態様から第３の態様の第２の可能な実施例のいずれか１つに関連して、第３の態様の第３の可能な実施例では、第１の参照信号は、周波数ドメインにおいて連続したサブキャリアを占有し、第１の参照信号によって占有されるサブキャリア数は、第１の物理チャネルによって占有されるサブキャリア数より大きい又はそれに等しいか、又は、第１の参照信号は、周波数ドメインにおいて奇数のサブキャリアもしくは偶数のサブキャリアを占有し、第１の参照信号によって占有されるサブキャリア数の２倍が、第１の物理チャネルによって占有されるサブキャリア数より大きい又はそれに等しい。
【００３１】
第３の態様から第３の態様の第３の可能な実施例のいずれか１つに関連して、第３の態様の第４の可能な実施例では、第１の受信ユニットはさらに、第１の端末装置によって送信される第１の参照信号及び第１の物理チャネルを受信した後に、第１の端末装置第１の端末装置によって送信される第２の物理チャネルを受信するように構成され、第２の物理チャネルはスロット内のｍ個のシンボルを占有し、ｍは１、２、又は３であり、第２の物理チャネルによって占有されるシンボルは、第１の物理チャネルによって占有されるシンボルと異なり、第１の処理ユニットはさらに、第１の参照信号に従って第２の物理チャネルを復調するように構成される。
【００３２】
第３の態様の第４の可能な実施例に関連して、第３の態様の第５の可能な実施例では、スロットが７個のシンボルを含み、ｉが４である場合、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は第１の物理チャネルが第２のシンボルセットにあり、第１の物理チャネルが第１のシンボルセットにあることを含み、第１のシンボルセットは７個のシンボルのうち最初の３個を含み、第２のシンボルセットは、７個のシンボルのうち５番目のシンボル、６番目のシンボル、及び７番目のシンボルを含むか、又は第２のシンボルセットは、７個のシンボルのうち５番目のシンボル及び６番目のシンボルを含む。
【００３３】
第３の態様の第４又は第５の可能な実施例に関連して、第３の態様の第６の可能な実施例では、第１の参照信号は周波数ドメインにおいて連続したサブキャリアを占有し、第１の参照信号によって占有されるサブキャリア数は、第１の物理チャネルによって占有されるサブキャリア数より大きい又はそれに等しく、第１の参照信号によって占有されるサブキャリア数は、第２の物理チャネルによって占有されるサブキャリア数より大きい又はそれに等しいか、又は、第１の参照信号は、周波数ドメインにおいて偶数のサブキャリアもしくは奇数のサブキャリアを占有し、第１の参照信号によって占有されるサブキャリア数の２倍が、第１の物理チャネルによって占有されるサブキャリア数より大きい又はそれに等しく、第１の参照信号によって占有されるサブキャリア数の２倍が、第２の物理チャネルによって占有されるサブキャリア数より大きい又はそれに等しい。
【００３４】
第３の態様から第３の態様の第２の可能な実施例のいずれか１つに関連して、第３の態様の第７の可能な実施例では、第１の受信ユニットはさらに、第２の端末装置によって送信される第２の参照信号及び第３の物理チャネルに関する情報を受信するように構成され、第２の参照信号はスロット内のｉ番目のシンボルにあり、ｉは７より小さい正の整数であり、第３の物理チャネルはスロット内のｐ個のシンボルを占有し、ｐは１、２、又は３であり、端末装置は第２の参照信号に従って第３の物理チャネルを復調し、第１の物理チャネルによって占有されるシンボルは、第３の物理チャネルによって占有されるシンボルと異なる。
【００３５】
第３の態様の第７の可能な実施例に関連して、第３の態様の第８の可能な実施例では、第１の送信ユニットはさらに、第２の端末装置によって送信される第２の参照信号及び第２の物理チャネルを第１の受信ユニットが受信する前に、第２のダウンリンク制御情報を第２の端末装置へ送信するように構成され、第２のダウンリンク制御情報は、第２の参照信号を示すのに用いられる構成情報を含む。
【００３６】
第３の態様の第７の可能な実施例又は第３の態様の第８の可能な実施例に関連して、第３の態様の第９の可能な実施例では、第１の参照信号は、周波数ドメインにおいて奇数のサブキャリアを占有し、第２の参照信号は、周波数ドメインにおいて偶数のサブキャリアを占有するか、又は、第２の参照信号は、周波数ドメインにおいて奇数のサブキャリアを占有し、第１の参照信号は、周波数ドメインにおいて偶数のサブキャリアを占有するか、又は、第１の参照信号によって占有されるサブキャリア数の２倍が、第１の物理チャネルによって占有されるサブキャリア数より大きい又はそれに等しく、第２の参照信号によって占有されるサブキャリア数の２倍が、第３の物理チャネルによって占有されるサブキャリア数より大きい又はそれに等しい。
【００３７】
第３の態様の第７の可能な実施例から第３の態様の第９の可能な実施例のいずれか１つに関連して、第３の態様の第１０の可能な実施例では、スロットが７個のシンボルを含み、ｉが４である場合、第１の物理チャネルによって占有されるシンボルが第３の物理チャネルによって占有されるシンボルと異なるということは、第１の物理チャネルが第１のシンボルセットにあり、第３の物理チャネルが第２のシンボルセットにあるか、又は、第１の物理チャネルが第２のシンボルセットにあり、第３の物理チャネルが第１のシンボルセットにあることを含み、第１のシンボルセットは、７個のシンボルのうち最初の３個を含み、第２のシンボルセットは、７個のシンボルのうち５番目のシンボル、６番目のシンボル、及び７番目のシンボルを含むか、又は、第２のシンボルセットは、７個のシンボルのうち５番目のシンボル及び６番目のシンボルを含む。
【００３８】
第３の態様の第６の可能な実施例又は第３の態様の第９の可能な実施例に関連して、第３の態様の第１１の可能な実施例では、第１の処理ユニットはさらに、長さが第１の物理チャネルによって占有されるサブキャリア数より大きい又はそれに等しいベースシーケンスを生成し、初期の参照信号シーケンスを取得するために、ベースシーケンスに対して巡回シフトを実行し、第１の参照信号のシーケンスを取得するために、初期の参照信号シーケンスを間隔をあけてサンプリングし、第１の参照信号のシーケンスに従って第１の物理チャネルを復調するように構成される。
【００３９】
第４の態様によれば、端末装置が提供され、本端末装置は、第１の参照信号及び第１の物理チャネルを構成するように構成された第２の処理ユニットであって、第１の参照信号はスロット内のｉ番目のシンボルにあり、ｉは７より小さい正の整数であり、第１の物理チャネルはスロット内のｎ個のシンボルを占有し、ｎは１、２、又は３である、第２の処理ユニットと、第１の参照信号及び第１の物理チャネルを端末装置へ送信するように構成された第２の送信ユニットとを含む。
【００４０】
第４の態様に関連して、第４の態様の第１の可能な実施例では、スロットは７個のシンボルを含み、ｉは４であり、第１の物理チャネルは第１のシンボルセット又は第２のシンボルセットにあり、第１のシンボルセットは７個のシンボルのうち最初の３個を含み、第２のシンボルセットは、７個のシンボルのうち５番目のシンボル、６番目のシンボル、及び７番目のシンボルを含むか、又は、第２のシンボルセットは、７個のシンボルのうち５番目のシンボル及び６番目のシンボルを含む。
【００４１】
第４の態様又は第４の態様の第１の可能な実施例に関連して、第４の態様の第２の可能な実施例では、本装置はさらに、第２の処理ユニットが第１の参照信号及び第１の物理チャネルを構成する前に、端末装置によって送信される第１のダウンリンク制御情報を受信するように構成された第２の受信ユニットを含み、これにより、処理ユニットは第１のダウンリンク制御情報に従って第１の参照信号を構成し、第１のダウンリンク制御情報は、第１の参照信号を示すのに用いられる構成情報を含む。
【００４２】
第４の態様又は第１の態様の第２の可能な実施例のいずれか１つに関連して、第４の態様の第３の可能な実施例では、第１の参照信号は連続したサブキャリアを占有し、第１の参照信号によって占有されるサブキャリア数は、第１の物理チャネルによって占有されるサブキャリア数より大きい又はそれに等しい。
【００４３】
第４の態様又は第１の態様の第２の可能な実施例のいずれか１つに関連して、第４の態様の第４の可能な実施例では、第１の参照信号は、周波数ドメインにおいて奇数のサブキャリア又は偶数のサブキャリアを占有し、第１の参照信号によって占有されるサブキャリア数の２倍が、第１の物理チャネルによって占有されるサブキャリア数より大きい又はそれに等しい。
【００４４】
第４の態様の第４の可能な実施例に関連して、第４の態様の第５の可能な実施例では、第２の処理ユニットはさらに、第１の参照信号のシーケンスを生成し、第１の参照信号のシーケンスを偶数のサブキャリア又は奇数のサブキャリアにマッピングするように構成される。
【００４５】
第４の態様の第５の可能な実施例に関連して、第４の態様の第６の可能な実施例では、第２の処理ユニットはさらに、長さが第１の物理チャネルによって占有されるサブキャリア数より大きい又はそれに等しいベースシーケンスを生成し、初期の参照信号シーケンスを取得するために、ベースシーケンスに対して巡回シフトを実行し、第１の参照信号のシーケンスを取得するために、初期の参照信号シーケンスを間隔をあけてサンプリングするように構成される。
【００４６】
第４の態様又は第１の態様の第６の可能な実施例のいずれか１つに関連して、第４の態様の第７の可能な実施例では、第１の参照信号がさらに第２の物理チャネルの復調に用いられる場合、第２の処理ユニットはさらに、第２の物理チャネルを構成するように構成され、第２の物理チャネルはスロット内のｍ個のシンボルを占有し、ｍは１、２、又は３であり、第２の物理チャネルによって占有されるシンボルは、第１の物理チャネルによって占有されるシンボルと異なり、第２の送信ユニットはさらに、第２の物理チャネルを端末装置へ送信するように構成される。
【００４７】
第４の態様の第７の可能な実施例に関連して、第４の態様の第８の可能な実施例では、スロットが７個のシンボルを含み、ｉが４である場合、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は第１の物理チャネルが第２のシンボルセットにあり、第１の物理チャネルが第１のシンボルセットにあることを含み、第１のシンボルセットは７個のシンボルのうち最初の３個を含み、第２のシンボルセットは、７個のシンボルのうち５番目のシンボル、６番目のシンボル、及び７番目のシンボルを含むか、又は第２のシンボルセットは、７個のシンボルのうち５番目のシンボル及び６番目のシンボルを含む。
【００４８】
本発明の実施形態は、アップリンク伝送ＴＴＩを３個のシンボル又は４個のシンボルに減らすために、データ伝送方法を提供する。したがって、伝送時間間隔が減少し、１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【００４９】
前述の一般的な説明及び以下の詳細な説明は、単なる例にすぎず、本発明の保護範囲を限定することはないことを理解されたい。
【図面の簡単な説明】
【００５０】
本発明の実施形態又は従来技術における技術的解決手段をより明確に説明するために、以下では、実施形態又は従来技術の説明に必要な添付図面を簡単に説明する。以下の説明にある添付図面は、本発明のいくつかの実施形態を示すだけであり、当業者であれば、これらの添付図面から創造的努力をすることなく他の図面をさらに取得し得ることは明らかである。
【００５１】
【図１】一般的なスロットの概略構造図である。
【００５２】
【図２】本発明の一実施形態によるデータ伝送方法のフローチャートである。
【００５３】
【図３】本発明の一実施形態による、標準ＣＰにおける参照信号及び物理チャネルの概略図である。
【００５４】
【図４】本発明の一実施形態による、標準ＣＰにおける第１の参照信号及び第１の物理チャネルの概略図である。
【００５５】
【図５】本発明の一実施形態によるデータ伝送方法のフローチャートである。
【００５６】
【図６】本発明の一実施形態による、標準ＣＰにおける参照信号及び物理チャネルの概略図である。
【００５７】
【図７】本発明の一実施形態による、標準ＣＰにおける参照信号及び物理チャネルの概略図である。
【００５８】
【図８】本発明の一実施形態によるデータ伝送方法のフローチャートである。
【００５９】
【図９】本発明の一実施形態による、標準ＣＰにおける参照信号及び物理チャネルの概略図である。
【００６０】
【図１０】本発明の一実施形態によるデータ伝送方法のフローチャートである。
【００６１】
【図１１】本発明の一実施形態によるネットワーク装置の概略図である。
【００６２】
【図１２】本発明の一実施形態による端末装置の概略図である。
【００６３】
本発明の明快な実施形態が前述の添付図面を用いて示され、より詳細な説明が以下において提供される。これらの添付図面及び本文の説明は、本発明の考えの範囲をいかなる方法によっても限定する意図はないが、特定の実施形態を参照することで、本発明の概念を当業者に説明することを意図している。
【発明を実施するための形態】
【００６４】
以下では、本発明の実施形態の添付図面を参照して、本発明の実施形態における技術的解決手段を明確且つ十分に説明する。説明される実施形態は、本発明の実施形態の単に一部であって、全てではないことは明らかである。本発明の実施形態に基づいて、創造的努力をすることなく当業者によって取得される他の全ての実施形態は、本発明の保護範囲に含まれるものとする。
【００６５】
本発明の包括的な理解のために、多くの具体的な詳細が以下の詳細な説明において言及されているが、当業者であれば、本発明がこれらの具体的な詳細を用いずに実装され得ることを理解されたい。別の実施形態において、実施形態のあいまいさが不必要に生じないように、一般に知られた方法、プロセス、コンポーネント、及び回路が詳細に説明されることはない。
【００６６】
本発明の実施形態は、データ伝送方法を提供する。本方法は、端末装置及びネットワーク装置が一緒になって実装され得る。端末装置は、ユーザ機器（Ｕｓｅｒ  Ｅｑｕｉｐｍｅｎｔ、略して「ＵＥ」）、移動局（Ｍｏｂｉｌｅ  Ｓｔａｔｉｏｎ、略して「ＭＳ」）、移動端末（Ｍｏｂｉｌｅ  Ｔｅｒｍｉｎａｌ）などとも呼ばれることがある。端末装置は、無線アクセスネットワーク（Ｒａｄｉｏ  Ａｃｃｅｓｓ  Ｎｅｔｗｏｒｋ、略して「ＲＡＮ」）を用いることで、１つ又は複数のコアネットワークと通信してよい。例えば、端末装置は、携帯電話（「セルラ」電話とも呼ばれる）、移動端末を備えたコンピュータなどであってよい。例えば、端末装置は、携帯型移動体装置、ポケットサイズ型移動体装置、ハンドヘルド型移動体装置、コンピュータ内蔵型移動体装置、又は車載型移動体装置であってよく、移動体装置は、無線アクセスネットワークで音声及び／又はデータを交換する。ネットワーク装置は、ＧＳＭ（登録商標）又はＣＤＭＡの無線基地局装置（Ｂａｓｅ  Ｔｒａｎｓｃｅｉｖｅｒ  Ｓｔａｔｉｏｎ、略して「ＢＴＳ」）であってよく、ＷＣＤＭＡ（登録商標）のＮｏｄｅＢ（ＮｏｄｅＢ、略して「ＮＢ」）であってよく、又は、ＬＴＥの進化型ノードＢ（ＥｖｏｌｕｔｉｏｎａｌＮｏｄｅ  Ｂ、略して「ｅＮＢ又はｅ−ＮｏｄｅＢ」）であってもよい。
【００６７】
本発明の実施形態の技術的解決手段は、様々な通信システム、例えば、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、略して「ＧＳＭ（登録商標）」）システム、符号分割多元接続（Ｃｏｄｅ  Ｄｉｖｉｓｉｏｎ  Ｍｕｌｔｉｐｌｅ  Ａｃｃｅｓｓ、略して「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）システム、汎用パケット無線サービス（Ｇｅｎｅｒａｌ  Ｐａｃｋｅｔ  Ｒａｄｉｏ  Ｓｅｒｖｉｃｅ、略して「ＧＰＲＳ」）、ロングタームエボリューション（Ｌｏｎｇ  Ｔｅｒｍ  Ｅｖｏｌｕｔｉｏｎ、略して「ＬＴＥ」）システム、ＬＴＥ周波数分割複信（Ｆｒｅｑｕｅｎｃｙ  Ｄｉｖｉｓｉｏｎ  Ｄｕｐｌｅｘ、略して「ＦＤＤ」）システム、ＬＴＥ時分割複信（Ｔｉｍｅ  Ｄｉｖｉｓｉｏｎ  Ｄｕｐｌｅｘ、略して「ＴＤＤ」）、ユニバーサル移動体通信システム（（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略して「ＵＭＴＳ」）、及び直交周波数分割（ＯＦＤＭ）技術が適用される別の無線通信システムに適用されてよい。
【００６８】
以下では、一例としてＬＴＥシステムを用いることで、本発明の実施形態のアプリケーション環境を簡単に説明する。しかしながら、本発明の実施形態のアプリケーション環境は、ＬＴＥシステムに限定されない。本発明の実施形態において提供される解決手段は、スケジューリングによってデータ伝送が実行される、あらゆる無線通信システムに用いられてよい。
【００６９】
ＬＴＥシステムでは、各無線フレームが１０個のサブフレームを含み、これらのサブフレームのそれぞれが１ｍｓの継続時間を有する。各サブフレームは、時間ドメインに２個のスロットを含む。標準サイクリックプレフィックス（Ｎｏｒｍａｌ  ｃｙｃｌｉｃ  ｐｒｅｆｉｘ、略してｎｏｒｍａｌ  ＣＰ）の場合、各スロットは７個のシンボル（ｓｙｍｂｏｌ）を含む、すなわち、各スロットは、シーケンス番号が｛＃０、＃１、＃２、＃３、＃４、＃５、＃６｝のシンボルを含む。拡張ＣＰ（Ｅｘｔｅｎｄｅｄ  ｃｙｃｌｉｃ  ｐｒｅｆｉｘ、略してｅｘｔｅｎｄｅｄ  ＣＰ）の場合、各スロットは６個のシンボル（ｓｙｍｂｏｌ）を含む、すなわち、各スロットは、シーケンス番号が｛＃０、＃１、＃２、＃３、＃４、＃５｝のシンボルを含む。
【００７０】
１個のサブフレームには、周波数ドメインに複数のサブキャリアが存在する。図１は、スロットの概略構造図である。図１において、横方向が時間ドメインを表し、縦方向が周波数ドメインを表す。図１に示されるスロットは、標準ＣＰを有するスロットである。横方向は時間ドメインであり、縦方向は周波数ドメインである。それぞれの縦の列は１個のシンボルを表し、それぞれの横の列は１個のサブキャリアを表す。スロットは、時間ドメインに７個のシンボルを含む。周波数ドメインには、４個のサブキャリアだけが一例として示されている。
【００７１】
アップリンクシンボルが、シングルキャリア周波数分割多元接続（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ、略してＳＣ−ＦＤＭＡ）シンボルと呼ばれる。ダウンリンクシンボルが、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）シンボルと呼ばれる。直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）のアップリンク多元接続方式が以降の技術に導入される場合、アップリンクシンボルは、ＯＦＤＭシンボルとも呼ばれることがある。本発明の実施形態において、アップリンクシンボル及びダウンリンクシンボルは両方とも、総称してシンボルと呼ばれる。
【００７２】
物理チャネル（ｐｈｙｓｉｃａｌ  ｃｈａｎｎｅｌ）は、上位層（ｈｉｇｈｅｒ  ｌａｙｅｒｓ）からのデータ情報を運ぶ。本発明の実施形態では、物理チャネルはＰＵＳＣＨ（ｐｈｙｓｉｃａｌ  ｕｐｌｉｎｋ  ｓｈａｒｅｄ  ｃｈａｎｎｅｌ、ＰＵＳＣＨ、物理アップリンク共有チャネル）、又はＰＵＣＣＨ（ｐｈｙｓｉｃａｌ  ｕｐｌｉｎｋ  ｃｏｎｔｒｏｌ  ｃｈａｎｎｅｌ、物理アップリンク制御チャネル）である。物理信号（ｐｈｙｓｉｃａｌ  ｓｉｇｎａｌ）が物理層に用いられ、物理信号は上位層からのデータ情報を運ばない。好ましくは、本発明の実施形態において、物理信号は参照信号（Ｒｅｆｅｒｅｎｃｅ  Ｓｉｇｎａｌ、略してＲＳ）であり、例えば、アップリンクに用いられる復調参照信号（Ｄｅｍｏｄｕｌａｔｉｏｎ  Ｒｅｆｅｒｅｎｃｅ  Ｓｉｇｎａｌ、略してＤＭＲＳ）、又はサウンディング参照信号（Ｓｏｕｎｄｉｎｇ  ｒｅｆｅｒｅｎｃｅ  ｓｉｇｎａｌ、略してＳＲＳ）である。ネットワーク装置は、物理チャネルごとにＲＳを構成し、このＲＳに従ってチャネル推定を実行し、推定によって取得されたチャネル値に従って物理チャネルを復調する。
【００７３】
短ＴＴＩデータ伝送とは、ＴＴＩが１個のサブフレーム又は１ｍｓより短いデータ伝送であり、例えば、ＴＴＩ＝０．５ｍｓであるか、又はＴＴＩが１個、２個、３個、又は４個のシンボルの長さである。同様に、ＴＴＩが１個のサブフレーム又は１ｍｓより短いデータパケットは、短ＴＴＩデータパケットと呼ばれる。周波数ドメインにおいて、短ＴＴＩデータ伝送は、連続的に配信されてよく、又は不連続的に配信されてもよい。不連続的な配信の場合、短ＴＴＩデータ伝送は、Ｎｃｌｕｓｔｅｒ個のサブキャリアセットで配信される。Ｎｃｌｕｓｔｅｒ個のサブキャリアセットは、連続していない。各サブキャリアセットのサブキャリアは、連続して配信される。Ｎｃｌｕｓｔｅｒ個のサブキャリアセットのうちいずれか２個に含まれるサブキャリア数は、等しくても等しくなくてもよい。Ｎｃｌｕｓｔｅｒは１より大きい整数であり、好ましくは、Ｎｃｌｕｓｔｅｒは２である。１個のＲＢは、Ｍ個の連続したサブキャリア（例えば、Ｍ＝１２）を含み、したがって、サブキャリアセットは、本発明においてリソースブロック（ｒｅｓｏｕｒｃｅ  ｂｌｏｃｋ、ＲＢ）とも呼ばれることがあることに留意されたい。
【００７４】
本発明の実施形態は、データ構成方法を提供する。本発明の実施形態において、構成されるデータは主に、参照信号及び物理チャネルである。データ伝送レイテンシが、参照信号及び物理チャネルの構成によって減少し得る。
【００７５】
本発明の実施形態は、参照信号及び物理チャネルの構成シナリオを３種類提供する。第１の構成シナリオでは、１個の端末装置が１個の参照信号に対応し、参照信号は１個の物理チャネルを復調するのに用いられる。第２の構成シナリオでは、１個の端末装置が１個の参照信号に対応し、参照信号は２個の物理チャネルを復調するのに用いられる。第３の構成シナリオでは、２個の端末装置がそれぞれ２個の参照信号に対応し、２個の参照信号はそれぞれ、２個の端末装置に対応する２個の物理チャネルを復調するのに用いられる。
【００７６】
図２は、本発明の一実施形態によるデータ伝送方法のフローチャートである。図２に示されるように、本方法はネットワーク装置に適用される。本方法は、前述の第１の構成シナリオに適用される。すなわち、１個の端末装置が、１個の物理チャネルを復調するのに用いられる１個の参照信号に対応する。本方法は、以下の段階を含む。
【００７７】
段階２０１：ネットワーク装置は、第１の端末装置によって送信される第１の参照信号及び第１の物理チャネルを受信する。
【００７８】
第１の参照信号はスロット内のｉ番目のシンボルにあり、ｉは７より小さい正の整数である。第１の物理チャネルはスロット内のｎ個のシンボルを占有し、ｎは１、２、又は３である。
【００７９】
好ましくは、第１の物理チャネルはＰＵＳＣＨであり、第１の参照信号は、ＰＵＳＣＨに対応するＲＳである。ＲＳは、ＰＵＳＣＨ  ＤＭＲＳ及び／又はＳＲＳとして用いられてよい。
【００８０】
任意選択で、第１の物理チャネルはＰＵＣＣＨであり、第１の参照信号は、ＰＵＣＣＨに対応するＲＳである。ＲＳは、ＰＵＣＣＨ  ＤＭＲＳ及び／又はＳＲＳとして用いられてよい。
【００８１】
本発明の本実施形態において、好ましくは、標準ＣＰの場合、第１の参照信号は４番目のシンボルにある（すなわちｉ＝４であり、参照信号は、シーケンス番号がスロット内の＃３であるシンボルにある）。第１の物理チャネルは、第１のシンボルセット又は第２のシンボルセットにある。
【００８２】
第１のシンボルセットは、スロット内の７個のシンボルのうち最初の３個を含む。換言すれば、第１のシンボルセットは、シーケンス番号がスロット内の＃０、＃１、及び＃２である３個のシンボルを含む。
【００８３】
第２のシンボルセットは、７個のシンボルのうち５番目のシンボル、６番目のシンボル、及び７番目のシンボルを含むか、又は第２のシンボルセットは、７個のシンボルのうち５番目のシンボル及び６番目のシンボルを含む。換言すれば、第２のシンボルセットは、シーケンス番号がスロット内の＃４、＃５、及び＃６である３個のシンボルを含むか、又は第２のシンボルセットは、シーケンス番号がスロット内の＃４及び＃５である２個のシンボルを含む。
【００８４】
通常、標準ＣＰの場合、第２のシンボルセットは、スロット内に３個のシンボルを含む。しかしながら、スロット内の最後のシンボルがＳＲＳ伝送に用いられる場合、第２のシンボルセットは、スロット内に２個のシンボルを含んでよい。例えば、第２のシンボルセットは、５番目のシンボル及び６番目のシンボルを含む。「スロット内の最後のシンボルがＳＲＳ伝送に用いられる」ということは、以下の４つの条件のうち少なくとも１つを含む。
【００８５】
条件１：端末装置は、スロット内の最後のシンボルでＳＲＳを伝送し、ＳＲＳ及び物理チャネルは同じサービングセル（ｓｅｒｖｉｎｇ  ｃｅｌｌ）に存在する。
【００８６】
条件２：スロットは、ＳＲＳ伝送に用いられるセル固有のサブフレーム内の第２のスロットであり、物理チャネルによって占有される帯域幅及びセル固有のＳＲＳによって占有される帯域幅は、部分的に又は完全に重なり合う。
【００８７】
条件３：スロットは、端末装置に固有の非周期ＳＲＳサブフレーム内の第２のスロットであり、端末装置はおそらく、物理チャネルが存在するサービングセルにおいて、スロット内の最後のシンボルでＳＲＳを伝送する。
【００８８】
条件４：複数のタイミングアドバンスグループ（ｔｉｍｉｎｇ  ａｄｖａｎｃｅ  ｇｒｏｕｐ、ＴＡＧ）が端末装置に合わせて構成される場合、スロットは、端末装置に固有の周期的ＳＲＳサブフレーム内の第２のスロットであり、端末装置は、物理チャネルが存在するサービングセルにおいて、スロット内の最後のシンボルでＳＲＳを伝送してよい。
【００８９】
もちろん、これらの４つの条件は、本発明に用いられる単なる例にすぎない。本発明は、これらの４つの条件を含むが、これらの４つの条件に限定されない。
【００９０】
本発明の本実施形態における本方法はさらに、拡張ＣＰに適用されてよい。拡張ＣＰの場合、１個のスロットは、時間ドメインに６個のシンボルを含む。好ましくは、第１の参照信号は３番目のシンボルにあってよい（すなわちｉ＝３であり、参照信号は、シーケンス番号がスロット内の＃２であるシンボルにある）。第１の物理チャネルは、第１のシンボルセット又は第２のシンボルセットにある。
【００９１】
この場合、第１のシンボルセットは、６個のシンボルのうち最初の２個を含む。換言すれば、第１のシンボルセットは、シーケンス番号がスロット内の＃０及び＃１である２個のシンボルを含む。
【００９２】
第２のシンボルセットは、６個のシンボルのうち４番目のシンボル、５番目のシンボル、及び６番目のシンボルを含むか、又は第２のシンボルセットは、６個のシンボルのうち４番目のシンボル及び５番目のシンボルを含む。換言すれば、第２のシンボルセットは、シーケンス番号がスロット内の＃３、＃４、及び＃５である３個のシンボルを含むか、又は第２のシンボルセットは、シーケンス番号がスロット内の＃３及び＃４である２個のシンボルを含む。
【００９３】
通常、拡張ＣＰの場合、第２のシンボルセットは、スロット内に３個のシンボルを含む。スロット内の最後のシンボルがＳＲＳ伝送に用いられる場合、第２のシンボルセットは、スロット内に２個のシンボルを含んでよい。例えば、第２のシンボルセットは、４番目のシンボル及び５番目のシンボルを含む。「スロット内の最後のシンボルがＳＲＳ伝送に用いられる」ということは、上述の条件を含むので、詳細がここで再度説明されることはない。
【００９４】
本発明の本実施形態では、任意選択で、第１の参照信号は、以下の３種類の参照信号のうち１つである。
【００９５】
［参照信号タイプ１］
【００９６】
第１の参照信号によって占有されるサブキャリア数が、第１の物理チャネルによって占有されるサブキャリア数より大きい又はそれに等しい。すなわち、
【数１】
2018538729.tif 000003
又は、
【数２】
2018538729.tif 000004
であり、
【数３】
2018538729.tif 000005
は、第１の参照信号のシーケンス長であり、
【数４】
2018538729.tif 000006
は、第１の物理チャネルによって占有されるサブキャリア数である。第１の参照信号は、周波数ドメインにおいて連続したサブキャリアを占有する。あるいは、第１の参照信号は、周波数ドメインにおいて不連続なＮｃｌｕｓｔｅｒ個のサブキャリアセットを占有し（詳細については、前述の説明を参照のこと）、各サブキャリアセットにおいて連続したサブキャリアを占有する。さらに、第１の参照信号によって占有されるサブキャリアは、第１の物理チャネルによって占有されるサブキャリアの全てを含む。すなわち、第１の物理チャネルによって占有されるサブキャリアの全ては、第１の参照信号によって占有されるサブキャリアの一部又は全てである。したがって、第１の参照信号は、物理チャネル復調に用いられるだけでなく、チャネル品質検出にも用いられてよい。すなわち、第１の参照信号は、ＤＭＲＳとして用いられるだけでなく、ＳＲＳとしても用いられてよい。
【００９７】
第１の参照信号のシーケンスは、ベースシーケンスに対して巡回シフト（ｃｙｃｌｉｃ  ｓｈｉｆｔ）を実行することで生成される。すなわち、
【数５】
2018538729.tif 000007
であり、ここで、
【数６】
2018538729.tif 000008
であり、
【数７】
2018538729.tif 000009
は、第１の参照信号のシーケンスであり、
【数８】
2018538729.tif 000010
は、ベースシーケンスであり、αは巡回シフトであり、
【数９】
2018538729.tif 000011
は、第１の参照信号のシーケンス長であり、ｕは、グループ番号（ｇｒｏｕｐ  ｎｕｍｂｅｒ）であり、ｖは、グループ内のベースシーケンス番号（ｂａｓｅ  ｓｅｑｕｅｎｃｅ  ｎｕｍｂｅｒ）である。
【００９８】
【数１０】
2018538729.tif 000012
が１２又は２４である場合、ベースシーケンスは、４位相偏移変調（Ｑｕａｄｒａｔｕｒｅ  Ｐｈａｓｅ  Ｓｈｉｆｔ  Ｋｅｙ、以下では略してＱＰＳＫ）に基づいた、コンピュータを用いることで求められる特殊シーケンスである。
【００９９】
【数１１】
2018538729.tif 000013
が３６より大きい又はそれに等しい場合、好ましくは、ベースシーケンスは、長さが
【数１２】
2018538729.tif 000014
であるＺａｄｏｆｆ−Ｃｈｕ（ＺＣ）シーケンスに対して巡回拡張を実行することで生成されるシーケンスであり、ここで、
【数１３】
2018538729.tif 000015
は、
【数１４】
2018538729.tif 000016
以下の最大の素数である。例えば、ＭＳＣが４８である場合、４８以下の最大の素数は４７であり、すなわち、
【数１５】
2018538729.tif 000017
は４７である。すなわち、
【数１６】
2018538729.tif 000018
が４８であるＲＳシーケンスが、長さが４７であるＺＣシーケンスに対して巡回拡張を実行することで取得される。具体的には、ベースシーケンスは、以下の公式１に従って生成される。
【０１００】
（公式１）
【数１７】
2018538729.tif 000019
【０１０１】
【数１８】
2018538729.tif 000020
が３６より大きい又はそれに等しい場合、任意選択で、ベースシーケンスはＺＣシーケンスであるか、又は長さが
【数１９】
2018538729.tif 000021
であるＺＣシーケンスを切り詰めることで生成されるシーケンスであり、ここで、
【数２０】
2018538729.tif 000022
は、
【数２１】
2018538729.tif 000023
以上の最小の素数である。
【０１０２】
図３は、本発明の一実施形態による、標準ＣＰにおける参照信号及び物理チャネルの概略図である。図３に示されるように、横方向が時間ドメインであり、縦方向が周波数ドメインである。参照信号３０１は４番目のシンボルを占有し、参照信号３０１は連続したサブキャリアを占有する。物理チャネルは、第１のシンボルセット３０２にあり、第１のシンボルセットは、１番目のシンボルから３番目のシンボルを占有する。物理チャネル３０２も連続したサブキャリアを占有する。
【０１０３】
［参照信号タイプ２］
【０１０４】
周波数ドメインにおいて第１の参照信号によって占有される全てのサブキャリアのうち隣接するいずれか２個のサブキャリア間に、（ｋ−１）個のサブキャリアが存在し、第１の参照信号によって占有されるサブキャリア数のｋ倍が、第１の物理チャネルによって占有されるサブキャリア数より大きい又はそれに等しく、ｋは１より大きい整数である。
【０１０５】
例えば、第１の参照信号は、周波数ドメインにおいて偶数のサブキャリア又は奇数のサブキャリアを占有し、第１の参照信号によって占有されるサブキャリア数の２倍が、第１の物理チャネルによって占有されるサブキャリア数より大きい又はそれに等しい。すなわち、
【数２２】
2018538729.tif 000024
又は、
【数２３】
2018538729.tif 000025
であり、ここで、
【数２４】
2018538729.tif 000026
は、第１の参照信号のシーケンス長であり、
【数２５】
2018538729.tif 000027
は、第１の物理チャネルによって占有されるサブキャリア数である。さらに、第１の参照信号によって占有されるＲＢは、第１の物理チャネルによって占有される全てのＲＢを含む。すなわち、第１の物理チャネルによって占有される全てのＲＢは、第１の参照信号によって占有されるＲＢの一部又は全てである。したがって、第１の参照信号は、物理チャネル復調に用いられるだけでなく、チャネル品質検出にも用いられてよい。すなわち、第１の参照信号は、ＤＭＲＳとして用いられるだけでなく、ＳＲＳとしても用いられてよい。ＲＢの少なくとも１個のサブキャリアが第１の参照信号によって占有されているならば、ＲＢは第１の参照信号によって占有されているとみなされることに留意されたい。
【０１０６】
第１の参照信号が周波数ドメインにおいて偶数のサブキャリア又は奇数のサブキャリアを占有する場合、第１の参照信号のシーケンスが、以下の２つの方法のいずれかに従って生成されてよい。
【０１０７】
参照信号シーケンスを生成するための第１の方法は、以下の通りである。
【０１０８】
第１の参照信号のシーケンスは、初期のＲＳシーケンスをサンプリングすることで取得されるシーケンスである。
【０１０９】
初期のＲＳシーケンスは、ベースシーケンスに対して巡回シフトを実行することで生成されてよい。初期のＲＳシーケンスの生成方法は、参照信号タイプ１の第１の参照信号のシーケンスを生成するための方法と同じであり、詳細がここで再度説明されることはない。初期のＲＳシーケンスの長さは、物理チャネルによって占有されるサブキャリア数である
【数２６】
2018538729.tif 000028
より大きい又はそれに等しい。
【０１１０】
第１の参照信号のシーケンスは、初期のＲＳシーケンスを不連続的にサンプリングすることで取得されるシーケンスである。好ましくは、第１の参照信号のシーケンスである
【数２７】
2018538729.tif 000029
は、初期のＲＳシーケンスである
【数２８】
2018538729.tif 000030
を間隔をあけてサンプリングすることで取得されるシーケンス、すなわち、
【数２９】
2018538729.tif 000031
であり、ここで、
【数３０】
2018538729.tif 000032
であり、
【数３１】
2018538729.tif 000033
は、第１の参照信号のシーケンス長であり、
【数３２】
2018538729.tif 000034
は、初期のＲＳシーケンスの長さであり、ａ＝０又はａ＝１である。
【０１１１】
前述の第１の方法において、初期のＲＳシーケンスを間隔をあけてサンプリングすることで取得されるＲＳシーケンスは、例えば、低キュービックメトリック（Ｃｕｂｉｃ  ｍｅｔｒｉｃ、ＣＭ）性能及び低相関性能といった比較的良好なＺＣシーケンス性能を依然として保っている。さらに、第１のセルのＲＳが（１ｍｓのＴＴＩでデータ伝送する）連続したサブキャリアにマッピングされ、第２のセルのＲＳが（短ＴＴＩでデータ伝送する）間隔をあけたサブキャリアにマッピングされる場合、第１のセルのＲＳ及び第２のセルのＲＳが部分的に又は完全に重なり合っていても、２個のＲＳ間で比較的低い相関が取得され得る。
【０１１２】
参照信号シーケンスを生成するための第２の方法は、以下の通りである。
【０１１３】
ＲＳシーケンスは、ベースシーケンスに対して巡回シフトを実行することで生成される。
【０１１４】
具体的には、
【数３３】
2018538729.tif 000035
であり、ここで、
【数３４】
2018538729.tif 000036
であり、
【数３５】
2018538729.tif 000037
は、第１の参照信号のシーケンスであり、
【数３６】
2018538729.tif 000038
は、ベースシーケンスであり、αは巡回シフトであり、
【数３７】
2018538729.tif 000039
は、第１の参照信号のシーケンス長である。
【数３８】
2018538729.tif 000040
が１２又は２４である場合、ベースシーケンスは、ＱＰＳＫに基づく、コンピュータを用いて求められる特殊シーケンスである。
【数３９】
2018538729.tif 000041
が３６より大きい又はそれに等しい場合、ベースシーケンスは（上述されたように）公式１に従って生成されるか、又はベースシーケンスは以下の公式２に従って生成される。
【０１１５】
（公式２）
【数４０】
2018538729.tif 000042
ここで、Ｆ（ｑ）は関数を表し、この関数の入力パラメータがｑであり、例えば、Ｆ（ｑ）＝４ｑである。
【０１１６】
図４は、本発明の一実施形態による、標準ＣＰにおける第１の参照信号及び第１の物理チャネルの概略図である。図４に示されるように、横方向が時間ドメインであり、縦方向が周波数ドメインであり、それぞれの縦の列が１個のシンボルを表し、それぞれの横の列が１個のサブキャリアを表す。
第１の参照信号４０１は、時間ドメインの４番目のシンボルを占有し、第１の参照信号４０１は、周波数ドメインの偶数のサブキャリアを占有する。第１の物理チャネルは、第２のシンボルセット４０３にある。第２のシンボルセット４０３は、５番目から７番目のシンボルを占有する。第１の物理チャネル４０３は、連続したサブキャリアを占有する。図４では、第１の参照信号４０１は６個のサブキャリアを占有し、第１の物理チャネル４０３は、１２個のサブキャリアを占有する。第１の参照信号４０１によって占有されるサブキャリア数の２倍が１２であり、これは、第１の物理チャネルによって占有されるサブキャリア数に等しい。
【０１１７】
［参照信号タイプ３］
【０１１８】
周波数ドメインにおいて第１の参照信号によって占有される伝送ユニットの数は、第１の物理チャネルによって占有される伝送ユニットの数より大きい又はそれに等しい。各伝送ユニットは、
【数４１】
2018538729.tif 000043
個の連続したサブキャリアを占有し、
【数４２】
2018538729.tif 000044
は、１２より大きい又はそれに等しい整数である。例えば、
【数４３】
2018538729.tif 000045
であり、ここで、ｋは正の整数である。すなわち、ＮＲＳ＝ＮＣＨ、又はＮＲＳ＞ＮＣＨであり、ここでＮＲＳは、第１の参照信号によって占有される伝送ユニットの数であり、ＮＣＨは、第１の物理チャネルによって占有される伝送ユニットの数である。第１の参照信号は、周波数ドメインにおいて連続した伝送ユニットを占有するか、又は第１の参照信号は、周波数ドメインにおいて不連続な伝送ユニットを占有する。さらに、第１の参照信号によって占有される伝送ユニットは、第１の物理チャネルによって占有される全ての伝送ユニットを含む。すなわち、第１の物理チャネルによって占有される全ての伝送ユニットは、第１の参照信号によって占有される伝送ユニットの一部又は全てである。したがって、第１の参照信号は、物理チャネル復調に用いられるだけでなく、チャネル品質検出にも用いられてよい。
【０１１９】
第１の参照信号のシーケンスは、ＮＲＳ個のユニットシーケンスをカスケードすることで生成される。ユニットシーケンスｉは、ベースシーケンスに対して巡回シフトを実行することで生成される。すなわち、
【数４４】
2018538729.tif 000046
であり、ここで、
【数４５】
2018538729.tif 000047
であり、
【数４６】
2018538729.tif 000048
は、ユニットシーケンスｉであり、
【数４７】
2018538729.tif 000049
は、ユニットシーケンスｉのベースシーケンスであり、αｉはユニットシーケンスｉの巡回シフトであり、
【数４８】
2018538729.tif 000050
は、ユニットシーケンスｉの長さである。ユニットシーケンスｉの生成方法は、参照信号タイプ１の第１の参照信号のシーケンスを生成するための方法と同じであり、詳細がここで再度説明されることはない。好ましくは、ＮＲＳ個のユニットシーケンスでは、同じベースシーケンスが用いられ、異なる又は同じ巡回シフトが実行される。
【０１２０】
段階２０１の前、すなわち、ネットワーク装置が第１の端末装置によって送信される第１の参照信号及び第１の物理チャネルを受信する前に、本方法はさらに以下のことを含む。
【０１２１】
ネットワーク装置は、第１のダウンリンク制御情報（Ｄｏｗｎｌｉｎｋ  Ｃｏｎｔｒｏｌ  Ｉｎｆｏｒｍａｔｉｏｎ、略してＤＣＩ）を第１の端末装置へ送信し、第１のダウンリンク制御情報は、第１の参照信号を示すのに用いられる構成情報を含む。第１の参照信号の構成情報は、以下の情報、すなわち、参照信号の伝送コム、参照信号のシーケンス長、参照信号の巡回シフト、参照信号のタイプのうち少なくとも１つを含む。好ましくは、ＤＣＩは、ＲＳの伝送コムを示すのに用いられる１ビット情報を含む。例えば、「０」は偶数のサブキャリアを示し、「１」は奇数のサブキャリアを示す。あるいは、「１」は偶数のサブキャリアを示し、「０」は奇数のサブキャリアを示す。好ましくは、ＤＣＩは、ＲＳのタイプを示すのに用いられる１個のビットを含む。例えば、「０」は、ＲＳがＤＭＲＳとして用いられることを示し、「１」は、ＲＳがＤＭＲＳ及びＳＲＳとして用いられることを示す。あるいは、「１」は、ＲＳがＤＭＲＳとして用いられることを示し、「０」は、ＲＳがＤＭＲＳ及びＳＲＳとして用いられることを示す。任意選択で、ＤＣＩは、ＲＳのタイプを示すのに用いられる２個のビットを含み、一方のステータスは、ＲＳがＤＭＲＳとして用いられることを示し、他方のステータスは、ＲＳがＳＲＳとして用いられることを示し、他方のステータスはさらに、ＲＳがＤＭＲＳ及びＳＲＳとして用いられることを示す。この段落におけるＲＳは、第１の参照信号を意味することに留意されたい。
【０１２２】
段階２０２：ネットワーク装置は、第１の参照信号に従って第１の物理チャネルを復調する。
【０１２３】
復調とは、情報を搬送する変調信号から情報を復元する処理である。段階２０２において、復調は、受信された第１の物理チャネルからネットワーク装置によって情報を復元する処理である。第１の物理チャネルがＰＵＳＣＨである場合、復元される情報は、ＰＵＳＣＨによって搬送される情報であり、例えば、アップリンク共有チャネル（ＵＬ−ＳＣＨ、Ｕｐｌｉｎｋ  Ｓｈａｒｅｄ  Ｃｈａｎｎｅｌ）に含まれるデータ情報、及び／又はＨＡＲＱ−ＡＣＫ情報、及び／又はチャネル状態情報（ＣＳＩ、Ｃｈａｎｎｅｌ  Ｓｔａｔｅ  Ｉｎｆｏｒｍａｔｉｏｎ）である。第１の物理チャネルがＰＵＣＣＨである場合、復元される情報は、ＰＵＣＣＨによって搬送される情報であり、例えば、ＨＡＲＱ−ＡＣＫ情報及び／又はチャネル状態情報（ＣＳＩ、Ｃｈａｎｎｅｌ  Ｓｔａｔｅ  Ｉｎｆｏｒｍａｔｉｏｎ）である。ＨＡＲＱ−ＡＣＫ情報は、ダウンリンクデータの受信ステータスを示すのに用いられてよく、ＨＡＲＱ−ＡＣＫフィードバック情報とも呼ばれることがあり、ＡＣＫ、ＮＡＣＫ、又はＤＴＸ（Ｄｉｓｃｏｎｔｉｎｕｏｕｓ  Ｔｒａｎｓｍｉｓｓｉｏｎ、不連続伝送）を含む。
【０１２４】
具体的には、ネットワーク装置は、第１の参照信号に従って第１の物理チャネルを復調する。すなわち、ネットワーク装置は、受信された第１の物理チャネルを第１の参照信号に従って復調し、受信された第１の物理チャネルは、端末装置によって送信され、ネットワーク装置によって受信される第１の物理チャネルである。端末装置によって送信された受信済みの第１の物理チャネルは、無線チャネルの影響、例えば、シャドウフェージング及び周波数選択性フェージングによって歪んでいることがある。ネットワーク装置が、いかなる補正技術も用いずに、受信された第１の物理チャネルを直接的に復調する場合、復調結果が正しくない可能性が比較的高い。端末装置によって送信された第１の物理チャネルを正確に復元するために、ネットワーク装置は、無線チャネルを推定し（すなわち、チャネル推定を実行し）、次に、チャネル推定に従って、受信された第１の物理チャネルを復調する必要がある。本発明において、チャネル推定とは、参照信号に基づくチャネル推定であり、すなわち、ネットワーク装置は、第１の参照信号に基づいてチャネル推定を実行する。したがって、任意選択で、段階２０２は、ネットワーク装置が第１の参照信号を生成すること、及びネットワーク装置が第１の参照信号に従って第１の物理チャネルを復調することを含んでよい。
【０１２５】
任意選択で、第１の参照信号が段階２０１において参照信号タイプ１である場合、段階２０２は、ベースシーケンスをネットワーク装置によって生成する段階であって、ベースシーケンスの長さは、第１の物理チャネルによって占有されるサブキャリア数より大きい又はそれに等しい、段階と、第１の参照信号のシーケンスを取得するために、ベースシーケンスに対して巡回シフトをネットワーク装置によって実行する段階と、第１の参照信号のシーケンスに従って第１の物理チャネルをネットワーク装置によって復調する段階とを含んでよい。
【０１２６】
任意選択で、第１の参照信号が段階２０１において参照信号タイプ２である場合、段階２０２は、ベースシーケンスをネットワーク装置によって生成する段階であって、ベースシーケンスの長さは、第１の物理チャネルによって占有されるサブキャリア数より大きい又はそれに等しい、段階と、初期の参照信号シーケンスを取得するために、ベースシーケンスに対して巡回シフトをネットワーク装置によって実行する段階と、第１の参照信号のシーケンスを取得するために、初期の参照信号シーケンスをネットワーク装置によって間隔をあけてサンプリングする段階と、第１の参照信号のシーケンスに従って第１の物理チャネルをネットワーク装置によって復調する段階とを含んでよい。
【０１２７】
本発明の本実施形態において、１個の端末は、１個の物理チャネルを復調するために１個の参照信号を構成する。参照信号は１個のシンボルを占有し、物理チャネルは２個又は３個のシンボルを占有するので、アップリンク伝送ＴＴＩは、３個のシンボル又は４個のシンボルである。したがって、伝送時間間隔が減少し、１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【０１２８】
本発明の一実施形態が、ネットワーク装置に適用されるデータ伝送方法を提供する。このアプリケーション構成シナリオでは、第１の端末装置が１個の参照信号に対応しており、その１個の参照信号は、２個の物理チャネル、すなわち第１の物理チャネル及び第２の物理チャネルを復調するのに用いられる。
【０１２９】
図５は、本発明の本実施形態によるデータ伝送方法のフローチャートである。図５に示されるように、本方法は以下の段階を含む。
【０１３０】
段階５０１：ネットワーク装置は、第１の端末装置によって送信される第１の参照信号、第１の物理チャネル、及び第２の物理チャネルを受信する。
【０１３１】
段階５０２：ネットワーク装置は、第１の参照信号に従って、第１の物理チャネル及び第２の物理チャネルを復調する。
【０１３２】
本実施形態では、第１の参照信号はスロット内のｉ番目のシンボルにあり、ｉは７より小さい正の整数である。第１の物理チャネルはスロット内のｎ個のシンボルを占有し、ｎは１、２、又は３である。第２の物理チャネルはスロット内のｍ個のシンボルを占有し、ｍは１、２、又は３である。第２の物理チャネルによって占有されるシンボルは、第１の物理チャネルによって占有されるシンボルと異なる。
【０１３３】
第１のシンボルセット及び第２のシンボルセットのシンボルについては、前述の実施形態の段階２０１の説明を参照されたい。詳細がここで再度説明されることはない。
【０１３４】
好ましくは、ＣＰが標準ＣＰである場合、ｉ＝４であるならば、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は、第１の物理チャネルが第２のシンボルセットにあり、第１の物理チャネルが第１のシンボルセットにあることを含む。
【０１３５】
同様に、好ましくは、ＣＰが拡張ＣＰである場合、ｉ＝３であるならば、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は、第１の物理チャネルが第２のシンボルセットにあり、第１の物理チャネルが第１のシンボルセットにあることを含む。
【０１３６】
本実施形態において、任意選択で、第１の参照信号は、段階２０１で説明された３種類の参照信号のうちの１つであり、詳細がここで再度説明されることはない。段階２０１及び段階２０２で説明された第１の参照信号と第１の物理チャネルとの間の関係が、第１の参照信号及び第２の物理チャネルにも適用できることに留意されたい。
【０１３７】
例えば、第１の参照信号によって占有されるサブキャリア数が、第１の物理チャネルによって占有されるサブキャリア数より大きい又はそれに等しく、第１の参照信号によって占有されるサブキャリア数は、第２の物理チャネルによって占有されるサブキャリア数より大きい又はそれに等しい。
【０１３８】
例えば、第１の参照信号は、偶数のサブキャリア又は奇数のサブキャリアを占有し、第１の参照信号によって占有されるサブキャリア数の２倍が、第１の物理チャネルによって占有されるサブキャリア数より大きい又はそれに等しく、第１の参照信号によって占有されるサブキャリア数の２倍が、第２の物理チャネルによって占有されるサブキャリア数より大きい又はそれに等しい。
【０１３９】
図６は、本発明の一実施形態による、標準ＣＰにおける参照信号及び物理チャネルの概略図である。図６に示されるように、参照信号６０１は、時間ドメインにおいて４番目のシンボルを占有し、周波数ドメインにおいて連続したサブキャリアを占有する。第１の物理チャネルが第１のシンボルセット６０２を占有し、第２の物理チャネルが第２のシンボルセット６０３を占有する。
【０１４０】
図７は、本発明の一実施形態による、標準ＣＰにおける参照信号及び物理チャネルの概略図である。図７に示されるように、参照信号７０１は、時間ドメインにおいて４番目のシンボルを占有し、周波数ドメインにおいて偶数のサブキャリアを占有する、すなわち、合計６個のサブキャリアを占有する。第１の物理チャネルが第１のシンボルセット６０２及び１２個のサブキャリアを占有し、第２の物理チャネルが第２のシンボルセット６０３及び１２個のサブキャリアを占有する。
【０１４１】
段階５０１の前、すなわち、ネットワーク装置が第１の端末装置によって送信される第１の参照信号、第１の物理チャネル、及び第２の物理チャネルを受信する前に、本方法はさらに以下のことを含む。
【０１４２】
ネットワーク装置は、第１のダウンリンク制御情報を第１の端末装置へ送信し、第１のダウンリンク制御情報は、第１の参照信号を示すのに用いられる構成情報を含む。第１の参照信号の構成情報については、段階２０１の説明を参照されたい。詳細がここで再度説明されることはない。
【０１４３】
本発明の本実施形態において、１個の端末は、２個の物理チャネルを復調するために１個の参照信号を構成する。参照信号は１個のシンボルを占有し、物理チャネルはそれぞれ２個又は３個のシンボルを占有するので、アップリンク伝送ＴＴＩは、３個のシンボル又は４個のシンボルである。したがって、伝送時間間隔が減少し、１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【０１４４】
図８は、本発明の一実施形態によるデータ伝送方法のフローチャートである。本方法は、ネットワーク装置に適用される。本実施形態において、ネットワーク装置は、２個の端末装置と個別に通信することができる。２個の端末装置はそれぞれ、２個の参照信号に対応している。２個の参照信号は、第１の参照信号及び第２の参照信号である。第１の参照信号は、第１の物理チャネルを復調するのに用いられ、第２の参照信号は、第３の物理チャネルを復調するのに用いられる。
【０１４５】
段階８０１：ネットワーク装置は、第１の端末装置によって送信される第１の参照信号及び第１の物理チャネルを受信し、第２の端末装置によって送信される第２の参照信号及び第３の物理チャネルを受信する。
【０１４６】
段階８０２：ネットワーク装置は、第１の参照信号に従って第１の物理チャネルを復調し、第２の参照信号に従って第３の物理チャネルを復調する。
【０１４７】
本実施形態において、第１の参照信号及び第２の参照信号は両方とも、スロット内のｉ番目のシンボルにあり、ｉは７より小さい正の整数である。すなわち、第１の参照信号及び第２の参照信号は同じシンボルにある。第１の物理チャネルはスロット内のｎ個のシンボルを占有し、ｎは１、２、又は３である。第３の物理チャネルはスロット内のｐ個のシンボルを占有し、ｐは１、２、又は３である。第３の物理チャネルによって占有されるシンボルは、第１の物理チャネルによって占有されるシンボルと異なる。
【０１４８】
好ましくは、第３の物理チャネルによって占有されるシンボルが第１の物理チャネルによって占有されるシンボルと異なるということは、第１の物理チャネルが第１のシンボルセットにあり、第３の物理チャネルが第２のシンボルセットにあるか、又は、第１の物理チャネルが第２のシンボルセットにあり、第３の物理チャネルが第１のシンボルセットにあることを含む。第１のシンボルセット及び第２のシンボルセットのシンボルについては、前述の実施形態の段階２０１の説明を参照されたい。詳細がここで再度説明されることはない。
【０１４９】
本発明の本実施形態では、任意選択で、第１の物理チャネル及び第３の物理チャネルは、周波数ドメインにおいて完全に又は部分的に重なり合う。
【０１５０】
本実施形態において、任意選択で、第１の参照信号は、段階２０１で説明された３種類の参照信号のうちの１つであり、詳細がここで再度説明されることはない。第２の参照信号は、（第１の参照信号が第２の参照信号によって置き換えられるならば）段階２０１で説明された３種類の参照信号のうちの１つであり、詳細がここで再度説明されることはない。段階２０１及び段階２０２で説明された第１の参照信号と第１の物理チャネルとの間の関係が、第２の参照信号及び第３の物理チャネルにも適用できることに留意されたい。すなわち、段階２０１の「第１の参照信号」は、「第２の参照信号」によって置き換えられ、段階２０１の「第１の物理チャネル」は、「第３の物理チャネル」によって置き換えられる。
【０１５１】
任意選択で、第１の参照信号及び第２の参照信号は、参照信号タイプ１である。具体的には、第１の参照信号及び第２の参照信号は、同じシンボル及び同じサブキャリアを占有する。第１のＲＳ及び第２のＲＳには、同じベースシーケンスが用いられるが、異なる巡回シフトが実行される。第１のＲＳ及び第２のＲＳは、１個のセルに存在するか、又はアップリンクＣｏＭＰをサポートする２個のセルに存在する。同じベースシーケンスに対して巡回シフトを実行することで取得される２個のシーケンスの間には、比較的良好な直交性がある。したがって、ネットワーク装置は、物理チャネル復調パフォーマンス、又はチャネル品質検出パフォーマンスを保証することができる。
【０１５２】
任意選択で、第１の参照信号及び第２の参照信号は、参照信号タイプ２である。具体的には、第１の参照信号及び第２の参照信号は、同じシンボルを占有するが、異なるサブキャリアを占有する。好ましくは、第１の参照信号及び第２の参照信号は、異なる伝送コム（Ｔｒａｎｓｍｉｓｓｉｏｎ  ｃｏｍｂ）を用いる、すなわち、端末装置は、異なる伝送コムを用いるように第１のＲＳ及び第２のＲＳを構成する。任意選択で、伝送コムは、偶数のサブキャリア又は奇数のサブキャリアを示す。例えば、第１のＲＳは偶数のサブキャリアに対応しており、第２のＲＳは奇数のサブキャリアに対応している。あるいは、第１のＲＳは奇数のサブキャリアに対応しており、第２のＲＳは偶数のサブキャリアに対応している。第１のＲＳ及び第２のＲＳは異なるサブキャリアにあるので、第１のＲＳ及び第２のＲＳのシーケンス長は異なってよいことに留意されたい。参照信号タイプ１と比較すると、参照信号タイプ２はより柔軟であり、第１のＲＳ及び第２のＲＳの長さは、同じであることに厳密に限定される必要はない。
【０１５３】
図９は、本発明の一実施形態による、標準ＣＰにおける参照信号及び物理チャネルの概略図である。図９に示されるように、第１の参照信号が、時間ドメインにおいて４番目のシンボルを占有し、周波数ドメインにおいて偶数のサブキャリアを占有する。第１の物理チャネルが、時間ドメインにおいて第１のシンボルセット９０２を占有する。第２の参照信号が、時間ドメインにおいて４番目のシンボルを占有し、周波数ドメインにおいて奇数のサブキャリアを占有する。第３の物理チャネルが、時間ドメインにおいて第２のシンボルセット９０３を占有する。
【０１５４】
任意選択で、第１の参照信号及び第２の参照信号は参照信号タイプ３である。具体的には、第１の参照信号及び第２の参照信号は、時間ドメインにおいて同じシンボルを占有し、周波数ドメインにおいて完全に又は部分的に同じである伝送ユニットを占有する。第１のＲＳ及び第２のＲＳは、１個のセルに存在するか、又はアップリンクＣｏＭＰをサポートする２個のセルに存在する。完全に又は部分的に同じである伝送ユニットでは、第１の参照信号に対応するユニットシーケンス及び第２の参照信号に対応するユニットシーケンスに対して、同じベースシーケンスが用いられ、異なる巡回シフトが実行される。同じベースシーケンスに対して巡回シフトを実行することで取得される２個のシーケンスの間には、比較的良好な直交性がある。したがって、ネットワーク装置は、物理チャネル復調パフォーマンス、又はチャネル品質検出パフォーマンスを保証することができる。ＲＳ構成メカニズム３では、第１のＲＳ及び第２のＲＳの長さは、同じであることに厳密に限定される必要はない。したがって、ＲＳ構成メカニズム３は、ＲＳ構成メカニズム１と比較してより柔軟である。しかしながら、ＲＳが少なくとも２個のユニットシーケンスを含む場合、ＣＭが増加し、端末の電力増幅器効率に影響を及ぼす。
【０１５５】
段階８０１の前、すなわち、ネットワーク装置が、第１の端末装置によって送信される第１の参照信号及び第１の物理チャネルを受信し、第２の端末装置によって送信される第２の参照信号及び第３の物理チャネルを受信する前に、本方法はさらに以下のことを含む。
【０１５６】
ネットワーク装置は、第１のダウンリンク制御情報を第１の端末装置へ送信し、第２のダウンリンク制御情報を第２の端末装置へ送信し、第１のダウンリンク制御情報は、第１の参照信号を示すのに用いられる構成情報を含み、第２のダウンリンク制御情報は、第２の参照信号を示すのに用いられる構成情報を含む。第１の参照信号の構成情報及び第２の参照信号の構成情報については、段階２０１の説明を参照されたい。詳細がここで再度説明されることはない。
【０１５７】
本発明の本実施形態において、１個のネットワーク装置と通信する２個の端末装置は、２個の参照信号及び２個の物理チャネルを送信する。２個の参照信号はそれぞれ、２個の物理チャネルを復調するのに用いられる。２個の端末の２個の参照信号は、１個のシンボルだけを占有し、２個の物理チャネルはそれぞれ、２個又は３個のシンボルを占有する。したがって、アップリンク伝送ＴＴＩが、３個のシンボル又は４個のシンボルである。したがって、伝送時間間隔が減少し、１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【０１５８】
ネットワーク装置に適用される前述のデータ伝送方法に対応して、本発明の一実施形態がさらに、端末装置に適用されるデータ伝送方法を開示する。図１０に示されるように、本方法は以下の段階を含む。
【０１５９】
段階１００１：端末装置は、第１の参照信号及び第１の物理チャネルを構成する。
【０１６０】
第１の参照信号はスロット内のｉ番目のシンボルにあり、ｉは７より小さい正の整数である。第１の物理チャネルはスロット内のｎ個のシンボルを占有し、ｎは１、２、又は３である。
【０１６１】
さらに、段階１００１において、端末装置が第１の参照信号を構成するということは、端末装置が、第１の参照信号の構成情報に従って第１の参照信号を構成することを含んでよい。
【０１６２】
段階１００２：端末装置は、第１の参照信号及び第１の物理チャネルをネットワーク装置へ送信する。
【０１６３】
好ましくは、第１の物理チャネルはＰＵＳＣＨであり、第１の参照信号は、ＰＵＳＣＨに対応するＲＳである。ＲＳは、ＰＵＳＣＨ  ＤＭＲＳ及び／又はＳＲＳとして用いられてよい。
【０１６４】
任意選択で、第１の物理チャネルはＰＵＣＣＨであり、第１の参照信号は、ＰＵＣＣＨに対応するＲＳである。ＲＳは、ＰＵＣＣＨ  ＤＭＲＳ及び／又はＳＲＳとして用いられてよい。
【０１６５】
本発明の本実施形態において、好ましくは、標準ＣＰの場合、第１の参照信号は４番目のシンボルにある（すなわちｉ＝４であり、参照信号は、シーケンス番号がスロット内の＃３であるシンボルにある）。第１の物理チャネルは、第１のシンボルセット又は第２のシンボルセットにある。拡張ＣＰの場合、好ましくは、第１の参照信号は３番目のシンボルにあってよい（すなわちｉ＝３であり、参照信号は、シーケンス番号がスロット内の＃２であるシンボルにある）。第１の物理チャネルは、第１のシンボルセット又は第２のシンボルセットにある。
【０１６６】
任意選択で、第１のシンボルセット及び第２のシンボルセットについては、前述の実施形態の段階２０１の説明を参照されたい。詳細がここで再度説明されることはない。
【０１６７】
任意選択で、段階１００１の前、すなわち、端末装置が第１の参照信号及び第１の物理チャネルを構成する前に、本方法はさらに以下のことを含む。
【０１６８】
端末装置は、ネットワーク装置によって送信される第１のダウンリンク制御情報を受信し、第１のダウンリンク制御情報は、第１の参照信号を示すのに用いられる構成情報を含む。具体的な構成情報については、段階２０１の説明を参照されたい。詳細がここで再度説明されることはない。
【０１６９】
本実施形態において、任意選択で、第１の参照信号は、段階２０１で説明された３種類の参照信号のうちの１つであり、詳細がここで再度説明されることはない。
【０１７０】
任意選択で、第１の参照信号は連続したサブキャリアを占有し、第１の参照信号によって占有されるサブキャリア数が、第１の物理チャネルによって占有されるサブキャリア数より大きい又はそれに等しい。
【０１７１】
任意選択で、第１の参照信号は、偶数のサブキャリア又は奇数のサブキャリアを占有し、第１の参照信号によって占有されるサブキャリア数の２倍が、第１の物理チャネルによって占有されるサブキャリア数より大きい又はそれに等しい。これに対応して、端末装置が第１の参照信号を構成するということは、第１の参照信号のシーケンスを端末装置によって生成する段階と、第１の参照信号のシーケンスを偶数のサブキャリア又は奇数のサブキャリアに端末装置によってマッピングする段階とを含む。
【０１７２】
任意選択で、第１の参照信号のシーケンスを端末装置によって生成する段階は、ベースシーケンスを端末装置によって生成する段階であって、ベースシーケンスの長さは、第１の物理チャネルによって占有されるサブキャリア数より大きい又はそれに等しい、段階と、初期の参照信号シーケンスを取得するために、ベースシーケンスに対して巡回シフトを端末装置によって実行する段階と、第１の参照信号のシーケンスを取得するために、初期の参照信号シーケンスを端末装置によって間隔をあけてサンプリングする段階とを含む。
【０１７３】
本発明の本実施形態において、１個の端末は、１個の物理チャネルを復調するために、ネットワーク装置用の１個の参照信号を構成する。参照信号は１個のシンボルを占有し、物理チャネルは２個又は３個のシンボルを占有するので、アップリンク伝送ＴＴＩは、３個のシンボル又は４個のシンボルである。したがって、伝送時間間隔が減少する。１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【０１７４】
図１０に示される実施形態において、１個の参照信号が１個の物理チャネルを復調するのに用いられる。実際に適用する場合には、１個の参照信号が２個の物理チャネルを復調するのに用いられてよい、すなわち、第１の物理チャネル及び第２の物理チャネルを復調するのに用いられてよい。
【０１７５】
第１の参照信号がさらに、第２の物理チャネルを復調するのに用いられる場合、本方法はさらに、第２の物理チャネルを端末装置によって構成する段階であって、第２の物理チャネルはスロット内のｍ個のシンボルを占有し、ｍは１、２、又は３であり、第２の物理チャネルによって占有されるシンボルは、第１の物理チャネルによって占有されるシンボルと異なる、段階と、第２の物理チャネルをネットワーク装置へ端末装置によって送信する段階とを含む。
【０１７６】
任意選択で、標準ＣＰではｉは４である。任意選択で、拡張ＣＰではｉは３である。第２の物理チャネルによって占有されるシンボルが第１の物理チャネルによって占有されるシンボルと異なるということは、以下のことを含む。
【０１７７】
第１の物理チャネルは第１のシンボルセットにあり、第２の物理チャネルは第２のシンボルセットにあるか、又は第１の物理チャネルは第２のシンボルセットにあり、第１の物理チャネルは第１のシンボルセットにある。第１のシンボルセット及び第２のシンボルセットのシンボルについては、前述の実施形態の段階２０１の説明を参照されたい。詳細がここで再度説明されることはない。
【０１７８】
本実施形態において、任意選択で、第１の参照信号は、段階２０１で説明された３種類の参照信号のうちの１つであり、詳細がここで再度説明されることはない。段階２０１及び段階２０２で説明された第１の参照信号と第１の物理チャネルとの間の関係が、第１の参照信号及び第２の物理チャネルにも適用できることに留意されたい。
【０１７９】
例えば、第１の参照信号によって占有されるサブキャリア数は、第１の物理チャネルによって占有されるサブキャリア数より大きい又はそれに等しく、第１の参照信号によって占有されるサブキャリア数は、第２の物理チャネルによって占有されるサブキャリア数より大きい又はそれに等しい。
【０１８０】
例えば、第１の参照信号は、偶数のサブキャリア又は奇数のサブキャリアを占有し、第１の参照信号によって占有されるサブキャリア数の２倍が、第１の物理チャネルによって占有されるサブキャリア数より大きい又はそれに等しく、第１の参照信号によって占有されるサブキャリア数の２倍が、第２の物理チャネルによって占有されるサブキャリア数より大きい又はそれに等しい。
【０１８１】
本発明の本実施形態において、１個の端末は、２個の物理チャネルを復調するために１個の参照信号を構成する。参照信号は１個のシンボルを占有し、物理チャネルはそれぞれ２個又は３個のシンボルを占有するので、アップリンク伝送ＴＴＩは、３個のシンボル又は４個のシンボルである。したがって、伝送時間間隔が減少し、１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【０１８２】
前述のデータ伝送方法に対応して、本発明の一実施形態がさらにネットワーク装置を提供する。本発明の本実施形態のネットワーク装置は、ネットワーク装置に適用される前述のデータ伝送方法を実行し得る。図１１は、本発明の本実施形態によるネットワーク装置の概略図である。ネットワーク装置は、複数の端末装置と通信してよい。図１１に示されるように、ネットワーク装置は、第１の受信ユニット１１０１と、第１の処理ユニット１１０２と、第１の送信ユニット１１０３とを含む。
【０１８３】
第１の受信ユニット１１０１は、第１の端末装置によって送信される第１の参照信号及び第１の物理チャネルを受信するように構成され、第１の参照信号はスロット内のｉ番目のシンボルにあり、ｉは７より小さい正の整数であり、第１の物理チャネルはスロット内のｎ個のシンボルを占有し、ｎは１、２、又は３である。
【０１８４】
第１の処理ユニット１１０２は、第１の参照信号に従って第１の物理チャネルを復調するように構成される。
【０１８５】
好ましくは、第１の物理チャネルはＰＵＳＣＨであり、第１の参照信号は、ＰＵＳＣＨに対応するＲＳである。ＲＳは、ＰＵＳＣＨ  ＤＭＲＳ及び／又はＳＲＳとして用いられてよい。
【０１８６】
任意選択で、第１の物理チャネルはＰＵＣＣＨであり、第１の参照信号は、ＰＵＣＣＨに対応するＲＳである。ＲＳは、ＰＵＣＣＨ  ＤＭＲＳ及び／又はＳＲＳとして用いられてよい。
【０１８７】
本発明の本実施形態において、好ましくは、標準ＣＰの場合、第１の参照信号は４番目のシンボルにある（すなわちｉ＝４であり、参照信号は、シーケンス番号がスロット内の＃３であるシンボルにある）。第１の物理チャネルは、第１のシンボルセット又は第２のシンボルセットにある。拡張ＣＰの場合、好ましくは、第１の参照信号は３番目のシンボルにあってよい（すなわちｉ＝３であり、参照信号は、シーケンス番号がスロット内の＃２であるシンボルにある）。第１の物理チャネルは、第１のシンボルセット又は第２のシンボルセットにある。
【０１８８】
任意選択で、第１のシンボルセット及び第２のシンボルセットについては、前述の実施形態の段階２０１の説明を参照されたい。詳細がここで再度説明されることはない。
【０１８９】
任意選択で、第１の送信ユニット１１０３は、第１の端末装置によって送信される第１の参照信号及び第１の物理チャネルを第１の受信ユニットが受信する前に、第１のダウンリンク制御情報を第１の端末装置へ送信するように構成され、第１のダウンリンク制御情報は、第１の参照信号を示すのに用いられる構成情報を含む。具体的な構成情報については、段階２０１の説明を参照されたい。詳細がここで再度説明されることはない。
【０１９０】
本実施形態において、任意選択で、第１の参照信号は、段階２０１で説明された３種類の参照信号のうちの１つであり、詳細がここで再度説明されることはない。段階２０１及び段階２０２で説明された第１の参照信号と第１の物理チャネルとの間の関係が、第１の参照信号及び第２の物理チャネルにも適用できることに留意されたい。
【０１９１】
任意選択で、第１の参照信号は周波数ドメインにおいて連続したサブキャリアを占有し、第１の参照信号によって占有されるサブキャリア数が、第１の物理チャネルによって占有されるサブキャリア数より大きい又はそれに等しいか、又は任意選択で、第１の参照信号は偶数のサブキャリアもしくは奇数のサブキャリアを占有し、第１の参照信号によって占有されるサブキャリア数の２倍が、第１の物理チャネルによって占有されるサブキャリア数より大きい又はそれに等しい。
【０１９２】
好ましくは、第１の受信ユニット１１０１はさらに、第１の端末装置１００２によって送信される第１の参照信号及び第１の物理チャネルを受信した後に、第１の端末装置１００２によって送信される第２の物理チャネルを受信するように構成され、第２の物理チャネルはスロット内のｍ個のシンボルを占有し、ｍは１、２、又は３であり、第２の物理チャネルによって占有されるシンボルは、第１の物理チャネルによって占有されるシンボルと異なる。
【０１９３】
第１の処理ユニット１１０２はさらに、第１の参照信号に従って第２の物理チャネルを復調するように構成される。
【０１９４】
任意選択で、第２の物理チャネルによって占有されるシンボルが第１の物理チャネルによって占有されるシンボルと異なるということは、以下のことを含む。
【０１９５】
第１の物理チャネルは第１のシンボルセットにあり、第２の物理チャネルは第２のシンボルセットにあるか、又は第１の物理チャネルは第２のシンボルセットにあり、第１の物理チャネルは第１のシンボルセットにある。第１のシンボルセット及び第２のシンボルセットのシンボルについては、前述の実施形態の段階２０１の説明を参照されたい。詳細がここで再度説明されることはない。
【０１９６】
任意選択で、第１の参照信号は周波数ドメインにおいて連続したサブキャリアを占有し、第１の参照信号によって占有されるサブキャリア数は、第１の物理チャネルによって占有されるサブキャリア数より大きい又はそれに等しく、第１の参照信号によって占有されるサブキャリア数は、第２の物理チャネルによって占有されるサブキャリア数より大きい又はそれに等しいか、又は、第１の参照信号は、周波数ドメインにおいて偶数のサブキャリアもしくは奇数のサブキャリアを占有し、第１の参照信号によって占有されるサブキャリア数の２倍が、第１の物理チャネルによって占有されるサブキャリア数より大きい又はそれに等しく、第１の参照信号によって占有されるサブキャリア数の２倍が、第２の物理チャネルによって占有されるサブキャリア数より大きい又はそれに等しい。
【０１９７】
任意選択で、第１の受信ユニット１１０１はさらに、第２の端末装置１００３によって送信される第２の参照信号及び第３の物理チャネルに関する情報を受信するように構成され、第２の参照信号はスロット内のｉ番目のシンボルにあり、ｉは７より小さい正の整数であり、第３の物理チャネルはスロット内のｐ個のシンボルを占有し、ｐは１、２、又は３である。
【０１９８】
ネットワーク装置は、第２の参照信号に従って第３の物理チャネルを復調する。
【０１９９】
第１の物理チャネルによって占有されるシンボルは、第３の物理チャネルによって占有されるシンボルと異なる。
【０２００】
任意選択で、第１の送信ユニットはさらに、第２の端末装置によって送信される第２の参照信号及び第２の物理チャネルを第１の受信ユニットが受信する前に、第２のダウンリンク制御情報を第２の端末装置へ送信するように構成され、第２のダウンリンク制御情報は、第２の参照信号を示すのに用いられる構成情報を含む。第２の参照信号の構成情報については、段階２０１の説明を参照されたい。詳細がここで再度説明されることはない。
【０２０１】
本実施形態において、任意選択で、第１の参照信号は、段階２０１で説明された３種類の参照信号のうちの１つであり、詳細がここで再度説明されることはない。第２の参照信号は、（第１の参照信号が第２の参照信号によって置き換えられ、発明内容が変わらないならば）段階２０１で説明された３種類の参照信号のうちの１つであり、詳細がここで再度説明されることはない。段階２０１及び段階２０２で説明された第１の参照信号と第１の物理チャネルとの間の関係が、第２の参照信号及び第３の物理チャネルにも適用できることに留意されたい。すなわち、段階２０１の「第１の参照信号」は、「第２の参照信号」によって置き換えられ、段階２０１の「第１の物理チャネル」は、「第３の物理チャネル」によって置き換えられる。
【０２０２】
任意選択で、第１の参照信号及び第２の参照信号は、参照信号タイプ１である。具体的には、第１の参照信号及び第２の参照信号は、同じシンボル及び同じサブキャリアを占有する。第１のＲＳ及び第２のＲＳには、同じベースシーケンスが用いられるが、異なる巡回シフトが実行される。
【０２０３】
任意選択で、第１の参照信号及び第２の参照信号は、参照信号タイプ２である。具体的には、第１の参照信号及び第２の参照信号は、同じシンボルを占有するが、異なるサブキャリアを占有する。好ましくは、第１の参照信号及び第２の参照信号は、異なる伝送コム（Ｔｒａｎｓｍｉｓｓｉｏｎ  ｃｏｍｂ）を用いる、すなわち、端末装置は、異なる伝送コムを用いるように第１のＲＳ及び第２のＲＳを構成する。任意選択で、伝送コムは、偶数のサブキャリア又は奇数のサブキャリアを示す。例えば、第１のＲＳは偶数のサブキャリアに対応しており、第２のＲＳは奇数のサブキャリアに対応している。あるいは、第１のＲＳは奇数のサブキャリアに対応しており、第２のＲＳは偶数のサブキャリアに対応している。第１のＲＳ及び第２のＲＳは異なるサブキャリアにあるので、第１のＲＳ及び第２のＲＳのシーケンス長は異なってよいことに留意されたい。参照信号タイプ１と比較すると、参照信号タイプ２はより柔軟であり、第１のＲＳ及び第２のＲＳの長さは、同じであることに厳密に限定される必要はない。
【０２０４】
任意選択で、第１の参照信号及び第２の参照信号は、参照信号タイプ３である。具体的には、第１の参照信号及び第２の参照信号は、時間ドメインにおいて同じシンボルを占有し、周波数ドメインにおいて完全に又は部分的に同じである伝送ユニットを占有する。完全に又は部分的に同じである伝送ユニットでは、第１の参照信号に対応するユニットシーケンス及び第２の参照信号に対応するユニットシーケンスに対して、同じベースシーケンスが用いられ、異なる巡回シフトが実行される。
【０２０５】
任意選択で、標準ＣＰではｉは４である。任意選択で、拡張ＣＰではｉは３である。第１の物理チャネルによって占有されるシンボルが第３の物理チャネルによって占有されるシンボルと異なるということは、以下のことを含む。
【０２０６】
第１の物理チャネルは第１のシンボルセットにあり、第３の物理チャネルは第２のシンボルセットにあるか、又は第１の物理チャネルは第２のシンボルセットにあり、第３の物理チャネルは第１のシンボルセットにある。第１のシンボルセット及び第２のシンボルセットのシンボルについては、前述の実施形態の段階２０１の説明を参照されたい。詳細がここで再度説明されることはない。
【０２０７】
本発明の本実施形態では、任意選択で、第１の物理チャネル及び第３の物理チャネルは、周波数ドメインにおいて完全に又は部分的に重なり合う。
【０２０８】
任意選択で、第１の処理ユニット１１０２は、長さが第１の物理チャネルによって占有されるサブキャリア数より大きい又はそれに等しいベースシーケンスを生成し、初期の参照信号シーケンスを取得するために、ベースシーケンスに対して巡回シフトを実行し、第１の参照信号のシーケンスを取得するために、初期の参照信号シーケンスを間隔をあけてサンプリングし、第１の参照信号のシーケンスに従って第１の物理チャネルを復調することを含む。
【０２０９】
本実施形態において、第１の送信ユニット１１０３は、第１のダウンリンク制御情報を第１の端末装置へ送信し、次に第１の受信ユニット１１０１は、第１の端末装置によって送信される第１の参照信号及び第１の物理チャネルを受信し、第１の処理ユニット１１０２は、第１の参照信号に従って第１の物理チャネルを復調する。
【０２１０】
本発明の別の実施形態において、第１の処理ユニット１１０２は代替的に、第１の参照信号に従って第１の物理チャネル及び第２の物理チャネルを両方とも復調してよい。
【０２１１】
本発明の別の実施形態において、第１の送信ユニット１１０３は、第１のダウンリンク制御情報を第１の端末装置へ送信し、第２のダウンリンク制御情報を第２の端末装置へ送信し、第１の受信ユニット１１０１は、第１の端末装置によって送信される第１の参照信号及び第１の物理チャネルを受信し、第１の受信ユニット１１０１は、第２の端末装置によって送信される第２の参照信号及び第３の物理チャネルも受信し、次に第１の処理ユニット１１０２は、第１の物理チャネル及び第３の物理チャネルを個別に復調する。
【０２１２】
第１の参照信号及び第２の参照信号の構成については、前述の実施形態を参照されたい。詳細がここで再度説明されることはない。
【０２１３】
本発明の本実施形態では、参照信号は１個のシンボルを占有し、物理チャネルはそれぞれ２個又は３個のシンボルを占有するので、アップリンク伝送ＴＴＩは、３個のシンボル又は４個のシンボルである。したがって、本発明の本実施形態のネットワーク装置は、前述の処理を実行することでデータ伝送時間間隔を減少させることができる。１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【０２１４】
本発明の一実施形態がさらに、端末装置を開示する。図１２は、本発明の本実施形態による端末装置の概略図である。図１２に示されるように、端末装置は、第１の参照信号及び第１の物理チャネルを構成するように構成された第２の処理ユニット１２０１であって、第１の参照信号はスロット内のｉ番目のシンボルにあり、ｉは７より小さい正の整数であり、第１の物理チャネルはスロット内のｎ個のシンボルを占有し、ｎは１、２、又は３である、第２の処理ユニット１２０１と、第１の参照信号及び第１の物理チャネルをネットワーク装置へ送信するように構成された第２の送信ユニット１２０２とを含む。
【０２１５】
好ましくは、第１の物理チャネルはＰＵＳＣＨであり、第１の参照信号は、ＰＵＳＣＨに対応するＲＳである。ＲＳは、ＰＵＳＣＨ  ＤＭＲＳ及び／又はＳＲＳとして用いられてよい。
【０２１６】
任意選択で、第１の物理チャネルはＰＵＣＣＨであり、第１の参照信号は、ＰＵＣＣＨに対応するＲＳである。ＲＳは、ＰＵＣＣＨ  ＤＭＲＳ及び／又はＳＲＳとして用いられてよい。
【０２１７】
本発明の本実施形態において、好ましくは、標準ＣＰの場合、第１の参照信号は４番目のシンボルにある（すなわちｉ＝４であり、参照信号は、シーケンス番号がスロット内の＃３であるシンボルにある）。第１の物理チャネルは、第１のシンボルセット又は第２のシンボルセットにある。拡張ＣＰの場合、好ましくは、第１の参照信号は３番目のシンボルにあってよい（すなわちｉ＝３であり、参照信号は、シーケンス番号がスロット内の＃２であるシンボルにある）。第１の物理チャネルは、第１のシンボルセット又は第２のシンボルセットにある。
【０２１８】
任意選択で、第１のシンボルセット及び第２のシンボルセットについては、前述の実施形態の段階２０１の説明を参照されたい。詳細がここで再度説明されることはない。
【０２１９】
任意選択で、端末装置はさらに、第２の処理ユニット１２０１が第１の参照信号及び第１の物理チャネルを構成する前に、ネットワーク装置１００１によって送信される第１のダウンリンク制御情報を受信するように構成された第２の受信ユニット１２０３を含み、第１のダウンリンク制御情報は、第１の参照信号を示すのに用いられる構成情報を含む。具体的な構成情報については、段階２０１の説明を参照されたい。詳細がここで再度説明されることはない。
【０２２０】
本実施形態において、任意選択で、第１の参照信号は、段階２０１で説明された３種類の参照信号のうちの１つであり、詳細がここで再度説明されることはない。
【０２２１】
任意選択で、第１の参照信号は連続したサブキャリアを占有し、第１の参照信号によって占有されるサブキャリア数が、第１の物理チャネルによって占有されるサブキャリア数より大きい又はそれに等しい。
【０２２２】
任意選択で、第１の参照信号は、偶数のサブキャリア又は奇数のサブキャリアを占有し、第１の参照信号によって占有されるサブキャリア数の２倍が、第１の物理チャネルによって占有されるサブキャリア数より大きい又はそれに等しい。これに対応して、第２の処理ユニット１２０１が第１の参照信号を構成するということは、第１の参照信号のシーケンスを生成することと、第１の参照信号のシーケンスを偶数のサブキャリア又は奇数のサブキャリアにマッピングすることとを含む。
【０２２３】
任意選択で、第２の処理ユニット１２０１はさらに、長さが第１の物理チャネルによって占有されるサブキャリア数より大きい又はそれに等しいベースシーケンスを生成し、初期の参照信号シーケンスを取得するために、ベースシーケンスに対して巡回シフトを実行し、第１の参照信号のシーケンスを取得するために、初期の参照信号シーケンスを間隔をあけてサンプリングするように構成される。
【０２２４】
任意選択で、第１の参照信号がさらに第２の物理チャネルの復調に用いられる場合、第２の処理ユニット１２０１はさらに、第２の物理チャネルを構成するように構成され、第２の物理チャネルはスロット内のｍ個のシンボルを占有し、ｍは１、２、又は３であり、第２の物理チャネルによって占有されるシンボルは、第１の物理チャネルによって占有されるシンボルと異なり、第２の送信ユニットはさらに、第２の物理チャネルをネットワーク装置へ送信するように構成される。
【０２２５】
任意選択で、標準ＣＰではｉは４である。任意選択で、拡張ＣＰではｉは３である。第２の物理チャネルによって占有されるシンボルが第１の物理チャネルによって占有されるシンボルと異なるということは、以下のことを含む。
【０２２６】
第１の物理チャネルは第１のシンボルセットにあり、第２の物理チャネルは第２のシンボルセットにあるか、又は第１の物理チャネルは第２のシンボルセットにあり、第１の物理チャネルは第１のシンボルセットにある。第１のシンボルセット及び第２のシンボルセットのシンボルについては、前述の実施形態の段階２０１の説明を参照されたい。詳細がここで再度説明されることはない。
【０２２７】
本実施形態において、任意選択で、第１の参照信号は、段階２０１で説明された３種類の参照信号のうちの１つであり、詳細がここで再度説明されることはない。段階２０１及び段階２０２で説明された第１の参照信号と第１の物理チャネルとの間の関係が、第１の参照信号及び第２の物理チャネルにも適用できることに留意されたい。
【０２２８】
本実施形態において、第２の受信ユニット１２０３は、ネットワーク装置によって送信されるダウンリンク制御情報を受信し、第２の処理ユニット１２０１は、第１の参照信号及び第１の物理チャネルを構成し、第２の送信ユニット１２０２は、第１の参照信号及び第１の物理チャネルを基地局へ送信する。本発明の別の実施形態において、第２の送信ユニット１２０２はさらに、第２の物理チャネルを基地局へ送信してよい。
【０２２９】
本発明の本実施形態では、参照信号は１個のシンボルを占有し、物理チャネルはそれぞれ２個又は３個のシンボルを占有するので、アップリンク伝送ＴＴＩは、３個のシンボル又は４個のシンボルである。したがって、本発明の本実施形態の端末装置は、前述の処理を実行することでデータ伝送時間間隔を減少させることができる。１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【０２３０】
本発明の実施形態は、アップリンク伝送ＴＴＩを３個のシンボル又は４個のシンボルに減らすために、データ伝送方法、ネットワーク装置、及び端末装置を開示する。したがって、伝送時間間隔が減少し、１個の端末装置では、単位時間当たりのスケジューリング回数が増加し得る。したがって、データ伝送レイテンシが効果的に減少し得る。さらに、１個のスロットでは、１個のシンボルだけが参照信号伝送に用いられる。ＴＴＩ減少によって、参照信号のオーバヘッドを増加させることはない。
【０２３１】
システムの実施形態は基本的に、方法の実施形態に対応している。したがって、関連する部分については、方法の実施形態において一部の説明を参照されたい。前述のシステムの実施形態は、単なる一例にすぎない。別個の部分として説明されるユニットは、物理的に別個であってもなくてもよく、ユニットとして表示される部分が、物理ユニットであってもなくてもよく、１か所に配置されてもよく、又は複数のネットワークユニット上に分散されてもよい。モジュールの一部又は全てが、実施形態の解決手段の目的を実現するために、実際の要件に従って選択されてよい。当業者であれば、本発明の実施形態を創造的努力をすることなく理解し、実施することができる。
【０２３２】
本発明は、コンピュータによって実行されるコンピュータ実行可能命令、例えばプログラムモジュールの一般的な文脈で説明されてよい。一般に、プログラムモジュールは、特定のタスクを実行するための、又は特定の抽象データ型を実装するための、ルーチン、プログラム、オブジェクト、コンポーネント、データ構造などを含む。本発明は、分散コンピューティング環境で実施されてもよい。そのような分散コンピューティング環境では、通信ネットワークを用いて接続されるリモート処理装置によって、タスクが実行される。分散コンピューティング環境において、プログラムモジュールは、ローカルに配置され、記憶装置を含むリモートコンピュータ記憶媒体であってよい。
【０２３３】
当業者であれば、前述の方法の実施例における段階の全て又は一部が、関連するハードウェアに命令するプログラムによって実装されてよいことを理解し得る。プログラムは、コンピュータ可読記憶媒体に格納されてよい。本明細書における記憶媒体は、ＲＯＭ、ＲＡＭ、磁気ディスク、光ディスクなどを含む。
【０２３４】
本明細書では、第１及び第２などの関係語が、１つのエンティティ又はオペレーションを別のエンティティ又はオペレーションと区別するためだけに用いられており、そのような実際の関係又はシーケンスのいずれかがこれらのエンティティ又はオペレーションの間に存在することを、必ずしも必要としたり暗示したりするものではないことに、さらに留意されたい。さらに、用語「含む（ｉｎｃｌｕｄｅ）」、「備える（ｃｏｍｐｒｉｓｅ）」、又はこれらの任意の他の異形は、非排他的包含に適用されることが意図されており、これにより、一連の要素を含むプロセス、方法、物品、もしくは装置が、これらの要素を含むだけでなく、明示的に記載されていない別の要素も含むか、又は、プロセス、方法、物品、もしくは装置に本来備わっている要素も含む。より多くの制約が存在しない場合、「〜を含む」に先立つ要素が、その要素を含むプロセス、方法、物品、又は装置において追加の同じ要素の存在を除外することはない。
【０２３５】
前述の説明は、本発明の実施形態の単なる例にすぎないが、本発明の保護範囲を限定する意図はない。本明細書では、本発明の本質及び実施例を説明するのに、具体的な例が用いられている。前述の実施形態の説明は、本発明の方法及び中心となる考えを理解する手助けとなることが単に意図されているにすぎない。さらに、当業者であれば、本発明の考えに基づいて、具体的な実施例及び適用範囲に関して、変更を行うことができる。要約すると、本明細書の内容は、本発明に対する限定と解釈されるべきではない。本発明の精神及び本質から逸脱することなく行われる、いかなる修正、均等な置換、改善も本発明の保護範囲内に含まれるものとする。
【図１】
2018538729.tif 000051
【図２】
2018538729.tif 000052
【図３】
2018538729.tif 000053
【図４】
2018538729.tif 000054
【図５】
2018538729.tif 000055
【図６】
2018538729.tif 000056
【図７】
2018538729.tif 000057
【図８】
2018538729.tif 000058
【図９】
2018538729.tif 000059
【図１０】
2018538729.tif 000060
【図１１】
2018538729.tif 000061
【図１２】
2018538729.tif 000062
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
データ伝送方法であって、
第１の端末装置によって送信される第１の参照信号及び第１の物理チャネルをネットワーク装置によって受信する段階であって、前記第１の参照信号はスロット内のｉ番目のシンボルにあり、ｉは７より小さい正の整数であり、前記第１の物理チャネルは前記スロット内のｎ個のシンボルを占有し、ｎは１、２、又は３である、段階と、
前記第１の参照信号に従って前記第１の物理チャネルを前記ネットワーク装置によって復調する段階とを備える、方法。
【請求項２】
前記スロットは７個のシンボルを有し、ｉは４であり、前記第１の物理チャネルは第１のシンボルセット又は第２のシンボルセットにあり、
前記第１のシンボルセットは、７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項１に記載の方法。
【請求項３】
第１の端末装置によって送信される第１の参照信号及び第１の物理チャネルをネットワーク装置によって受信する前記段階の前に、
第１のダウンリンク制御情報を前記第１の端末装置へ前記ネットワーク装置によって送信する段階をさらに備え、前記第１のダウンリンク制御情報は、前記第１の参照信号を示すのに用いられる構成情報を含み、前記第１の参照信号の前記構成情報は、前記第１の参照信号の伝送コム及び前記第１の参照信号の巡回シフトを含む、請求項１又は２に記載の方法。
【請求項４】
前記第１の参照信号は周波数ドメインにおいて連続したサブキャリアを占有し、前記第１の参照信号によって占有されるサブキャリア数が、前記第１の物理チャネルによって占有されるサブキャリア数より大きい又はそれに等しいか、又は、
前記第１の参照信号は周波数ドメインにおいて偶数のサブキャリアもしくは奇数のサブキャリアを占有し、前記第１の参照信号によって占有されるサブキャリア数の２倍が、前記第１の物理チャネルによって占有されるサブキャリア数より大きい又はそれに等しい、請求項１から３のいずれか一項に記載の方法。
【請求項５】
第１の端末装置によって送信される第１の参照信号及び第１の物理チャネルをネットワーク装置によって受信する前記段階の後に、
前記第１の端末装置によって送信される第２の物理チャネルを前記ネットワーク装置によって受信する段階であって、前記第２の物理チャネルは前記スロット内のｍ個のシンボルを占有し、ｍは１、２、又は３であり、前記第２の物理チャネルによって占有される前記シンボルは、前記第１の物理チャネルによって占有される前記シンボルと異なる、段階と、
前記第１の参照信号に従って前記第２の物理チャネルを前記ネットワーク装置によって復調する段階とをさらに備える、請求項１から４のいずれか一項に記載の方法。
【請求項６】
前記スロットが７個の前記シンボルを含み、ｉが４である場合、前記第２の物理チャネルによって占有される前記シンボルが前記第１の物理チャネルによって占有される前記シンボルと異なるということは、
前記第１の物理チャネルが第１のシンボルセットにあり、前記第２の物理チャネルが第２のシンボルセットにあるか、又は前記第１の物理チャネルが前記第２のシンボルセットにあり、前記第２の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項５に記載の方法。
【請求項７】
前記第１の参照信号は周波数ドメインにおいて連続したサブキャリアを占有し、前記第１の参照信号によって占有されるサブキャリア数は、前記第１の物理チャネルによって占有されるサブキャリア数より大きい又はそれに等しく、前記第１の参照信号によって占有される前記サブキャリア数は、前記第２の物理チャネルによって占有されるサブキャリア数より大きい又はそれに等しいか、又は、
前記第１の参照信号は、前記周波数ドメインにおいて偶数の前記サブキャリアもしくは奇数の前記サブキャリアを占有し、前記第１の参照信号によって占有される前記サブキャリア数の２倍が、前記第１の物理チャネルによって占有される前記サブキャリア数より大きい又はそれに等しく、前記第１の参照信号によって占有される前記サブキャリア数の２倍が、前記第２の物理チャネルによって占有されるサブキャリア数より大きい又はそれに等しい、請求項５又は６に記載の方法。
【請求項８】
第２の端末装置によって送信される第２の参照信号及び第３の物理チャネルを前記ネットワーク装置によって受信する段階であって、前記第２の参照信号は前記スロット内のｉ番目のシンボルにあり、ｉは７より小さい前記正の整数であり、前記第３の物理チャネルは前記スロット内のｐ個のシンボルを占有し、ｐは１、２、又は３である、段階と、
前記第２の参照信号に従って前記第３の物理チャネルを前記ネットワーク装置によって復調する段階とをさらに備え、
前記第１の物理チャネルによって占有される前記シンボルは、前記第３の物理チャネルによって占有される前記シンボルと異なる、請求項１から３のいずれか一項に記載の方法。
【請求項９】
第２の端末装置によって送信される第２の参照信号及び第３の物理チャネルを前記ネットワーク装置によって受信する前記段階の前に、
第２のダウンリンク制御情報を前記第２の端末装置へ前記ネットワーク装置によって送信する段階をさらに備え、前記第２のダウンリンク制御情報は、前記第２の参照信号を示すのに用いられる構成情報を含む、請求項８に記載の方法。
【請求項１０】
前記第１の参照信号は、周波数ドメインにおいて奇数のサブキャリアを占有し、前記第２の参照信号は、前記周波数ドメインにおいて偶数のサブキャリアを占有するか、又は、
前記第２の参照信号は、周波数ドメインにおいて奇数のサブキャリアを占有し、前記第１の参照信号は、前記周波数ドメインにおいて偶数のサブキャリアを占有し、
前記第１の参照信号によって占有されるサブキャリア数の２倍が、前記第１の物理チャネルによって占有されるサブキャリア数より大きい又はそれに等しく、前記第２の参照信号によって占有されるサブキャリア数の２倍が、前記第３の物理チャネルによって占有されるサブキャリア数より大きい又はそれに等しい、請求項８又は９に記載の方法。
【請求項１１】
前記スロットが７個の前記シンボルを含み、ｉが４である場合、前記第１の物理チャネルによって占有される前記シンボルが前記第３の物理チャネルによって占有される前記シンボルと異なるということは、
前記第１の物理チャネルが第１のシンボルセットにあり、前記第３の物理チャネルが第２のシンボルセットにあるか、又は前記第１の物理チャネルが前記第２のシンボルセットにあり、前記第３の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項８から１０のいずれか一項に記載の方法。
【請求項１２】
前記第１の参照信号に従って前記第１の物理チャネルを前記ネットワーク装置によって復調する前記段階は、
ベースシーケンスを前記ネットワーク装置によって生成する段階であって、前記ベースシーケンスの長さは、前記第１の物理チャネルによって占有される前記サブキャリア数より大きい又はそれに等しい、段階と、
初期の参照信号シーケンスを取得するために、前記ベースシーケンスに対して巡回シフトを前記ネットワーク装置によって実行する段階と、
前記第１の参照信号のシーケンスを取得するために、前記初期の参照信号シーケンスを前記ネットワーク装置によって間隔をあけてサンプリングする段階と、
前記第１の参照信号の前記シーケンスに従って前記第１の物理チャネルを前記ネットワーク装置によって復調する段階とを含む、請求項４、７、又は１０のいずれか一項に記載の方法。
【請求項１３】
データ伝送方法であって、
第１の参照信号及び第１の物理チャネルを端末装置によって構成する段階であって、前記第１の参照信号はスロット内のｉ番目のシンボルにあり、ｉは７より小さい正の整数であり、前記第１の物理チャネルは前記スロット内のｎ個のシンボルを占有し、ｎは１、２、又は３である、段階と、
前記第１の参照信号及び前記第１の物理チャネルをネットワーク装置へ前記端末装置によって送信する段階とを備える、方法。
【請求項１４】
前記スロットは７個のシンボルを有し、ｉは４であり、前記第１の物理チャネルは第１のシンボルセット又は第２のシンボルセットにあり、
前記第１のシンボルセットは、７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項１３に記載の方法。
【請求項１５】
第１の参照信号及び第１の物理チャネルを端末装置によって構成する前記段階の前に、
前記ネットワーク装置によって送信される第１のダウンリンク制御情報を前記端末装置によって受信する段階をさらに備え、前記第１のダウンリンク制御情報は、前記第１の参照信号を示すのに用いられる構成情報を含み、前記第１の参照信号の前記構成情報は、前記第１の参照信号の伝送コム及び前記第１の参照信号の巡回シフトを含む、請求項１３又は１４に記載の方法。
【請求項１６】
前記第１の参照信号は連続したサブキャリアを占有し、前記第１の参照信号によって占有されるサブキャリア数が、前記第１の物理チャネルによって占有されるサブキャリア数より大きい又はそれに等しい、請求項１３から１５のいずれか一項に記載の方法。
【請求項１７】
前記第１の参照信号は、周波数ドメインにおいて奇数のサブキャリア又は偶数のサブキャリアを占有し、前記第１の参照信号によって占有されるサブキャリア数の２倍が、前記第１の物理チャネルによって占有されるサブキャリア数より大きい又はそれに等しい、請求項１３から１５のいずれか一項に記載の方法。
【請求項１８】
第１の参照信号を端末装置によって構成する前記段階は、
前記第１の参照信号のシーケンスを前記端末装置によって生成する段階と、
前記第１の参照信号の前記シーケンスを偶数の前記サブキャリア又は奇数の前記サブキャリアに前記端末装置によってマッピングする段階とを有する、請求項１７に記載の方法。
【請求項１９】
前記第１の参照信号のシーケンスを前記端末装置によって生成する前記段階は、
ベースシーケンスを前記端末装置によって生成する段階であって、前記ベースシーケンスの長さは、前記第１の物理チャネルによって占有される前記サブキャリア数より大きい又はそれに等しい、段階と、
初期の参照信号シーケンスを取得するために、前記ベースシーケンスに対して巡回シフトを前記端末装置によって実行する段階と、
前記第１の参照信号の前記シーケンスを取得するために、前記初期の参照信号シーケンスを前記端末装置によって間隔をあけてサンプリングする段階とを有する、請求項１８に記載の方法。
【請求項２０】
前記第１の参照信号がさらに、第２の物理チャネルを復調するのに用いられ得る場合、
前記第２の物理チャネルを前記端末装置によって構成する段階であって、前記第２の物理チャネルは前記スロット内のｍ個のシンボルを占有し、ｍは１、２、又は３であり、前記第２の物理チャネルによって占有される前記シンボルは、前記第１の物理チャネルによって占有される前記シンボルと異なる、段階と、
前記第２の物理チャネルを前記ネットワーク装置へ前記端末装置によって送信する段階とをさらに備える、請求項１３から１９のいずれか一項に記載の方法。
【請求項２１】
前記スロットが７個の前記シンボルを含み、ｉが４である場合、前記第２の物理チャネルによって占有される前記シンボルが前記第１の物理チャネルによって占有される前記シンボルと異なるということは、
前記第１の物理チャネルが第１のシンボルセットにあり、前記第２の物理チャネルが第２のシンボルセットにあるか、又は前記第１の物理チャネルが前記第２のシンボルセットにあり、前記第２の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項２０に記載の方法。
【請求項２２】
ネットワーク装置であって、
第１の端末装置によって送信される第１の参照信号及び第１の物理チャネルを受信する第１の受信ユニットであって、前記第１の参照信号はスロット内のｉ番目のシンボルにあり、ｉは７より小さい正の整数であり、前記第１の物理チャネルは前記スロット内のｎ個のシンボルを占有し、ｎは１、２、又は３である、第１の受信ユニットと、
前記第１の参照信号に従って前記第１の物理チャネルを復調する第１の処理ユニットとを含む、ネットワーク装置。
【請求項２３】
前記スロットは７個のシンボルを有し、ｉは４であり、前記第１の物理チャネルは第１のシンボルセット又は第２のシンボルセットにあり、
前記第１のシンボルセットは、７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項２２に記載のネットワーク装置。
【請求項２４】
前記第１の受信ユニットが前記第１の端末装置によって送信される前記第１の参照信号及び前記第１の物理チャネルを受信する前に、第１のダウンリンク制御情報を前記第１の端末装置へ送信する第１の送信ユニットをさらに備え、前記第１のダウンリンク制御情報は、前記第１の参照信号を示すのに用いられる構成情報を含み、前記第１の参照信号の前記構成情報は、前記第１の参照信号の伝送コム及び前記第１の参照信号の巡回シフトを含む、請求項２２又は２３に記載のネットワーク装置。
【請求項２５】
前記第１の参照信号は周波数ドメインにおいて連続したサブキャリアを占有し、前記第１の参照信号によって占有されるサブキャリア数が、前記第１の物理チャネルによって占有されるサブキャリア数より大きい又はそれに等しいか、又は、
前記第１の参照信号は周波数ドメインにおいて奇数のサブキャリアもしくは偶数のサブキャリアを占有し、前記第１の参照信号によって占有されるサブキャリア数の２倍が、前記第１の物理チャネルによって占有されるサブキャリア数より大きい又はそれに等しい、請求項２２から２４のいずれか一項に記載のネットワーク装置。
【請求項２６】
前記第１の受信ユニットはさらに、前記第１の端末装置によって送信される前記第１の参照信号及び前記第１の物理チャネルを受信した後に、前記第１の端末装置第１の端末装置によって送信される第２の物理チャネルを受信し、前記第２の物理チャネルは前記スロット内のｍ個のシンボルを占有し、ｍは１、２、又は３であり、前記第２の物理チャネルによって占有される前記シンボルは、前記第１の物理チャネルによって占有される前記シンボルと異なり、
前記第１の処理ユニットはさらに、前記第１の参照信号に従って前記第２の物理チャネルを復調する、請求項２２から２５のいずれか一項に記載のネットワーク装置。
【請求項２７】
前記スロットが７個の前記シンボルを含み、ｉが４である場合、前記第２の物理チャネルによって占有される前記シンボルが前記第１の物理チャネルによって占有される前記シンボルと異なるということは、
前記第１の物理チャネルが第１のシンボルセットにあり、前記第２の物理チャネルが第２のシンボルセットにあるか、又は前記第１の物理チャネルが前記第２のシンボルセットにあり、前記第２の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項２６に記載のネットワーク装置。
【請求項２８】
前記第１の参照信号は周波数ドメインにおいて連続したサブキャリアを占有し、前記第１の参照信号によって占有されるサブキャリア数は、前記第１の物理チャネルによって占有されるサブキャリア数より大きい又はそれに等しく、前記第１の参照信号によって占有される前記サブキャリア数は、前記第２の物理チャネルによって占有されるサブキャリア数より大きい又はそれに等しいか、又は、
前記第１の参照信号は、前記周波数ドメインにおいて偶数の前記サブキャリアもしくは奇数の前記サブキャリアを占有し、前記第１の参照信号によって占有される前記サブキャリア数の２倍が、前記第１の物理チャネルによって占有される前記サブキャリア数より大きい又はそれに等しく、前記第１の参照信号によって占有される前記サブキャリア数の２倍が、前記第２の物理チャネルによって占有されるサブキャリア数より大きい又はそれに等しい、請求項２６又は２７に記載のネットワーク装置。
【請求項２９】
前記第１の受信ユニットはさらに、第２の端末装置によって送信される第２の参照信号及び第３の物理チャネルを受信し、前記第２の参照信号は前記スロット内のｉ番目のシンボルにあり、ｉは７より小さい前記正の整数であり、前記第３の物理チャネルは前記スロット内のｐ個のシンボルを占有し、ｐは１、２、又は３であり、
前記ネットワーク装置は、前記第２の参照信号に従って前記第３の物理チャネルを復調し、
前記第１の物理チャネルによって占有される前記シンボルは、前記第３の物理チャネルによって占有される前記シンボルと異なる、請求項２２から２４のいずれか一項に記載のネットワーク装置。
【請求項３０】
第１の送信ユニットはさらに、前記第２の端末装置によって送信される前記第２の参照信号及び前記第３の物理チャネルを前記第１の受信ユニットが受信する前に、第２のダウンリンク制御情報を前記第２の端末装置へ送信し、前記第２のダウンリンク制御情報は、前記第２の参照信号を示すのに用いられる構成情報を含み、前記第２の参照信号の前記構成情報は、前記第２の参照信号の伝送コム及び前記第２の参照信号の巡回シフトを含む、請求項２９に記載のネットワーク装置。
【請求項３１】
前記第１の参照信号は、周波数ドメインにおいて奇数のサブキャリアを占有し、前記第２の参照信号は、前記周波数ドメインにおいて偶数のサブキャリアを占有するか、又は、
前記第２の参照信号は、周波数ドメインにおいて奇数のサブキャリアを占有し、前記第１の参照信号は、前記周波数ドメインにおいて偶数のサブキャリアを占有し、
前記第１の参照信号によって占有されるサブキャリア数の２倍が、前記第１の物理チャネルによって占有されるサブキャリア数より大きい又はそれに等しく、前記第２の参照信号によって占有されるサブキャリア数の２倍が、前記第３の物理チャネルによって占有されるサブキャリア数より大きい又はそれに等しい、請求項２９又は３０に記載のネットワーク装置。
【請求項３２】
前記スロットが７個の前記シンボルを含み、ｉが４である場合、前記第１の物理チャネルによって占有される前記シンボルが前記第３の物理チャネルによって占有される前記シンボルと異なるということは、
前記第１の物理チャネルが第１のシンボルセットにあり、前記第３の物理チャネルが第２のシンボルセットにあるか、又は前記第１の物理チャネルが前記第２のシンボルセットにあり、前記第３の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項２９から３１のいずれか一項に記載のネットワーク装置。
【請求項３３】
前記第１の処理ユニットはさらに、
長さが前記第１の物理チャネルによって占有される前記サブキャリア数より大きい又はそれに等しいベースシーケンスを生成し、
初期の参照信号シーケンスを取得するために、前記ベースシーケンスに対して巡回シフトを実行し、
前記第１の参照信号のシーケンスを取得するために、前記初期の参照信号シーケンスを間隔をあけてサンプリングし、
前記第１の参照信号の前記シーケンスに従って前記第１の物理チャネルを復調する、請求項２８又は３１に記載のネットワーク装置。
【請求項３４】
端末装置であって
第１の参照信号及び第１の物理チャネルを構成する第２の処理ユニットであって、前記第１の参照信号はスロット内のｉ番目のシンボルにあり、ｉは７より小さい正の整数であり、前記第１の物理チャネルは前記スロット内のｎ個のシンボルを占有し、ｎは１、２、又は３である、第２の処理ユニットと、
前記第１の参照信号及び前記第１の物理チャネルをネットワーク装置へ送信する第２の送信ユニットとを含む、端末装置。
【請求項３５】
前記スロットは７個のシンボルを有し、ｉは４であり、前記第１の物理チャネルは第１のシンボルセット又は第２のシンボルセットにあり、前記第１のシンボルセットは、７個の前記シンボルのうち最初の３個を含み、
前記第２のシンボルセットは、７個の前記シンボルのうち５番目のシンボル、６番目のシンボル、及び７番目のシンボルを含むか、又は
前記第２のシンボルセットは、７個の前記シンボルのうち５番目のシンボル及び６番目のシンボルを含む、請求項３４に記載の端末装置。
【請求項３６】
前記第２の処理ユニットが前記第１の参照信号及び前記第１の物理チャネルを構成する前に、前記ネットワーク装置によって送信される第１のダウンリンク制御情報を受信する第２の受信ユニットをさらに備え、これにより、前記第２の処理ユニットは、前記第１のダウンリンク制御情報に従って前記第１の参照信号を構成し、前記第１のダウンリンク制御情報は、前記第１の参照信号を示すのに用いられる構成情報を含み、前記第１の参照信号の前記構成情報は、前記第１の参照信号の伝送コム及び前記第１の参照信号の巡回シフトを含む、請求項３４又は３５に記載の端末装置。
【請求項３７】
前記第１の参照信号は連続したサブキャリアを占有し、前記第１の参照信号によって占有されるサブキャリア数が、前記第１の物理チャネルによって占有されるサブキャリア数より大きい又はそれに等しい、請求項３４から３６のいずれか一項に記載の端末装置。
【請求項３８】
前記第１の参照信号は、周波数ドメインにおいて奇数のサブキャリア又は偶数のサブキャリアを占有し、前記第１の参照信号によって占有されるサブキャリア数の２倍が、前記第１の物理チャネルによって占有されるサブキャリア数より大きい又はそれに等しい、請求項３４から３６のいずれか一項に記載の端末装置。
【請求項３９】
前記第２の処理ユニットはさらに、
前記第１の参照信号のシーケンスを生成し、
前記第１の参照信号の前記シーケンスを偶数の前記サブキャリア又は奇数の前記サブキャリアにマッピングする、請求項３８に記載の端末装置。
【請求項４０】
前記第２の処理ユニットはさらに、
長さが前記第１の物理チャネルによって占有される前記サブキャリア数より大きい又はそれに等しいベースシーケンスを生成し、
初期の参照信号シーケンスを取得するために、前記ベースシーケンスに対して巡回シフトを実行し、
前記第１の参照信号の前記シーケンスを取得するために、前記初期の参照信号シーケンスを間隔をあけてサンプリングする、請求項３９に記載の端末装置。
【請求項４１】
前記第１の参照信号がさらに第２の物理チャネルの復調に用いられる場合、
前記第２の処理ユニットはさらに、前記第２の物理チャネルを構成し、前記第２の物理チャネルは前記スロット内のｍ個のシンボルを占有し、ｍは１、２、又は３であり、前記第２の物理チャネルによって占有される前記シンボルは、前記第１の物理チャネルによって占有される前記シンボルと異なり、
前記第２の送信ユニットはさらに、前記第２の物理チャネルを前記ネットワーク装置へ送信する、請求項３４から４０のいずれか一項に記載の端末装置。
【請求項４２】
前記スロットが７個の前記シンボルを含み、ｉが４である場合、前記第２の物理チャネルによって占有される前記シンボルが前記第１の物理チャネルによって占有される前記シンボルと異なるということは、
前記第１の物理チャネルが第１のシンボルセットにあり、前記第２の物理チャネルが第２のシンボルセットにあるか、又は前記第１の物理チャネルが前記第２のシンボルセットにあり、前記第２の物理チャネルが前記第１のシンボルセットにあることを含み、
前記第１のシンボルセットは７個の前記シンボルのうち最初の３個を含み、
前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項４１に記載の端末装置。
【請求項４３】
請求項１から２１のいずれか一項に記載の方法をコンピュータに実行させるための、コンピュータプログラム。
【手続補正２】
【補正対象書類名】明細書
【補正対象項目名】０００２
【補正方法】変更
【補正の内容】
【０００２】
ＬＴＥ（Ｌｏｎｇ  Ｔｅｒｍ  Ｅｖｏｌｕｔｉｏｎ、ロングタームエボリューション）は、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）標準化団体によって開発された技術標準である。ＬＴＥシステムでは、１個のサブフレームの継続時間が１ｍｓであり、各サブフレームは２個のスロット（ｓｌｏｔ）に均等に分割されており、各スロットの継続時間は０．５ｍｓである。ＬＴＥシステムでは、伝送時間間隔（Ｔｒａｎｓｍｉｓｓｉｏｎ  Ｔｉｍｅ  Ｉｎｔｅｒｖａｌ、ＴＴＩ）が、１個のサブフレームの継続時間である。
【手続補正３】
【補正対象書類名】明細書
【補正対象項目名】０００３
【補正方法】変更
【補正の内容】
【０００３】
無線通信システムにおいて、レイテンシ（ｌａｔｅｎｃｙ）は、ユーザエクスペリエンスに影響を及ぼす重要な要因の１つである。ＬＴＥシステムのアップリンク伝送の間、基地局は、物理アップリンク共有チャネル（Ｐｈｙｓｉｃａｌ  Ｕｐｌｉｎｋ  Ｓｈａｒｅｄ  Ｃｈａｎｎｅｌ、略してＰＵＳＣＨ）情報を受信した後、特定の時間が経過した後に、受信結果を端末装置へフィードバックする必要がある。例えば、受信が正しい場合には、肯定応答文字（Ａｃｋｎｏｗｌｅｄｇｅｍｅｎｔ、略してＡＣＫ）がフィードバックされ、受信が正しくない場合には、否定応答文字（Ｎｅｇａｔｉｖｅ  ＡＣＫｎｏｗｌｅｄｇｍｅｎｔ、略してＮＡＣＫ）がフィードバックされる。各データパケットが１個のサブフレームで送信される場合、基地局は、データパケットを復号化するのに比較的長い時間を費やす。さらに、データパケットの受信が正しくない場合、データパケットの再伝送とデータパケットの初期伝送との間の最小時間間隔も比較的長い。これにより、比較的長いデータ伝送レイテンシ（ｌａｔｅｎｃｙ）がもたらされ、その結果、ユーザの使用体験に影響を及ぼす。
【手続補正４】
【補正対象書類名】明細書
【補正対象項目名】０００６
【補正方法】変更
【補正の内容】
【０００６】
第１の態様によれば、データ伝送方法が提供され、本方法は、第１の端末装置によって送信される第１の参照信号及び第１の物理チャネルをネットワーク装置によって受信する段階であって、第１の参照信号はスロット内のｉ番目のシンボルにあり、ｉは７より小さい正の整数であり、第１の物理チャネルはスロット内のｎ個のシンボルを占有し、ｎは１、２、又は３である、段階と、第１の参照信号に従って第１の物理チャネルをネットワーク装置によって復調する段階とを含む。
【手続補正５】
【補正対象書類名】明細書
【補正対象項目名】０００８
【補正方法】変更
【補正の内容】
【０００８】
第１の態様又は第１の態様の第１の可能な実施例に関連して、第１の態様の第２の可能な実施例では、第１の端末装置によって送信される第１の参照信号及び第１の物理チャネルをネットワーク装置によって受信する段階の前に、本方法はさらに、第１のダウンリンク制御情報を第１の端末装置へネットワーク装置によって送信する段階を含み、第１のダウンリンク制御情報は、第１の参照信号を示すのに用いられる構成情報を含む。
【手続補正６】
【補正対象書類名】明細書
【補正対象項目名】００１０
【補正方法】変更
【補正の内容】
【００１０】
第１の態様から第１の態様の第３の可能な実施例のいずれか１つに関連して、第１の態様の第４の可能な実施例では、第１の端末装置によって送信される第１の参照信号及び第１の物理チャネルをネットワーク装置によって受信する段階の後に、本方法はさらに、第１の端末装置によって送信される第２の物理チャネルをネットワーク装置によって受信する段階であって、第２の物理チャネルはスロット内のｍ個のシンボルを占有し、ｍは１、２、又は３であり、第２の物理チャネルによって占有されるシンボルは、第１の物理チャネルによって占有されるシンボルと異なる、段階と、第１の参照信号に従って第２の物理チャネルをネットワーク装置によって復調する段階とを含む。
【手続補正７】
【補正対象書類名】明細書
【補正対象項目名】００１１
【補正方法】変更
【補正の内容】
【００１１】
第１の態様の第４の可能な実施例に関連して、第１の態様の第５の可能な実施例では、スロットが７個のシンボルを含み、ｉが４である場合、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は第１の物理チャネルが第２のシンボルセットにあり、第２の物理チャネルが第１のシンボルセットにあることを含み、第１のシンボルセットは７個のシンボルのうち最初の３個を含み、第２のシンボルセットは、７個のシンボルのうち５番目のシンボル、６番目のシンボル、及び７番目のシンボルを含むか、又は第２のシンボルセットは７個のシンボルのうち５番目のシンボル及び６番目のシンボルを含む。
【手続補正８】
【補正対象書類名】明細書
【補正対象項目名】００１３
【補正方法】変更
【補正の内容】
【００１３】
第１の態様から第１の態様の第２の可能な実施例のいずれか１つに関連して、第１の態様の第７の可能な実施例では、本方法はさらに、第２の端末装置によって送信される第２の参照信号及び第３の物理チャネルをネットワーク装置によって受信する段階であって、第２の参照信号はスロット内のｉ番目のシンボルにあり、ｉは７より小さい正の整数であり、第３の物理チャネルはスロット内のｐ個のシンボルを占有し、ｐは１、２、又は３である、段階と、第２の参照信号に従って第３の物理チャネルをネットワーク装置によって復調する段階であって、第１の物理チャネルによって占有されるシンボルは、第３の物理チャネルによって占有されるシンボルと異なる、段階とを含む。
【手続補正９】
【補正対象書類名】明細書
【補正対象項目名】００１４
【補正方法】変更
【補正の内容】
【００１４】
第１の態様の第７の可能な実施例に関連して、第１の態様の第８の可能な実施例では、第２の端末装置によって送信される第２の参照信号及び第３の物理チャネルをネットワーク装置によって受信する段階の前に、本方法はさらに、第２のダウンリンク制御情報を第２の端末装置へネットワーク装置によって送信する段階を含み、第２のダウンリンク制御情報は、第２の参照信号を示すのに用いられる構成情報を含む。
【手続補正１０】
【補正対象書類名】明細書
【補正対象項目名】００１７
【補正方法】変更
【補正の内容】
【００１７】
第１の態様の第６の可能な実施例又は第１の態様の第９の可能な実施例に関連して、第１の態様の第１１の可能な実施例では、第１の参照信号に従って第１の物理チャネルをネットワーク装置によって復調する段階は、ベースシーケンスをネットワーク装置によって生成する段階であって、ベースシーケンスの長さは、第１の物理チャネルによって占有されるサブキャリア数より大きい又はそれに等しい、段階と、初期の参照信号シーケンスを取得するために、ベースシーケンスに対して巡回シフトをネットワーク装置によって実行する段階と、第１の参照信号のシーケンスを取得するために、初期の参照信号シーケンスをネットワーク装置によって間隔をあけてサンプリングする段階と、第１の参照信号のシーケンスに従って第１の物理チャネルをネットワーク装置によって復調する段階とを含む。
【手続補正１１】
【補正対象書類名】明細書
【補正対象項目名】００１８
【補正方法】変更
【補正の内容】
【００１８】
第２の態様によれば、データ伝送方法が提供され、本方法は、第１の参照信号及び第１の物理チャネルを端末装置によって構成する段階であって、第１の参照信号はスロット内のｉ番目のシンボルにあり、ｉは７より小さい正の整数であり、第１の物理チャネルはスロット内のｎ個のシンボルを占有し、ｎは１、２、又は３である、段階と、第１の参照信号及び第１の物理チャネルをネットワーク装置へ端末装置によって送信する段階とを含む。
【手続補正１２】
【補正対象書類名】明細書
【補正対象項目名】００２０
【補正方法】変更
【補正の内容】
【００２０】
第２の態様又は第２の態様の第１の可能な実施例に関連して、第２の態様の第２の可能な実施例では、第１の参照信号及び第１の物理チャネルを端末装置によって構成する段階の前に、本方法はさらに、ネットワーク装置によって送信される第１のダウンリンク制御情報を端末装置によって受信する段階を含み、第１のダウンリンク制御情報は、第１の参照信号を示すのに用いられる構成情報を含む。
【手続補正１３】
【補正対象書類名】明細書
【補正対象項目名】００２５
【補正方法】変更
【補正の内容】
【００２５】
第２の態様から第２の態様の第６の可能な実施例のいずれか１つに関連して、第２の態様の第７の可能な実施例では、第１の参照信号がさらに第２の物理チャネルの復調に用いられてよい場合、本方法はさらに、第２の物理チャネルを端末装置によって構成する段階であって、第２の物理チャネルはスロット内のｍ個のシンボルを占有し、ｍは１、２、又は３であり、第２の物理チャネルによって占有されるシンボルは、第１の物理チャネルによって占有されるシンボルと異なる、段階と、第２の物理チャネルをネットワーク装置へ端末装置によって送信する段階とを含む。
【手続補正１４】
【補正対象書類名】明細書
【補正対象項目名】００２６
【補正方法】変更
【補正の内容】
【００２６】
第２の態様の第７の可能な実施例に関連して、第２の態様の第８の可能な実施例では、スロットが７個のシンボルを含み、ｉが４である場合、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は第１の物理チャネルが第２のシンボルセットにあり、第２の物理チャネルが第１のシンボルセットにあることを含み、第１のシンボルセットは７個のシンボルのうち最初の３個を含み、第２のシンボルセットは、７個のシンボルのうち５番目のシンボル、６番目のシンボル、及び７番目のシンボルを含むか、又は第２のシンボルセットは、７個のシンボルのうち５番目のシンボル及び６番目のシンボルを含む。
【手続補正１５】
【補正対象書類名】明細書
【補正対象項目名】００３２
【補正方法】変更
【補正の内容】
【００３２】
第３の態様の第４の可能な実施例に関連して、第３の態様の第５の可能な実施例では、スロットが７個のシンボルを含み、ｉが４である場合、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は第１の物理チャネルが第２のシンボルセットにあり、第２の物理チャネルが第１のシンボルセットにあることを含み、第１のシンボルセットは７個のシンボルのうち最初の３個を含み、第２のシンボルセットは、７個のシンボルのうち５番目のシンボル、６番目のシンボル、及び７番目のシンボルを含むか、又は第２のシンボルセットは、７個のシンボルのうち５番目のシンボル及び６番目のシンボルを含む。
【手続補正１６】
【補正対象書類名】明細書
【補正対象項目名】００３４
【補正方法】変更
【補正の内容】
【００３４】
第３の態様から第３の態様の第２の可能な実施例のいずれか１つに関連して、第３の態様の第７の可能な実施例では、第１の受信ユニットはさらに、第２の端末装置によって送信される第２の参照信号及び第３の物理チャネルを受信するように構成され、第２の参照信号はスロット内のｉ番目のシンボルにあり、ｉは７より小さい正の整数であり、第３の物理チャネルはスロット内のｐ個のシンボルを占有し、ｐは１、２、又は３であり、ネットワーク装置は第２の参照信号に従って第３の物理チャネルを復調し、第１の物理チャネルによって占有されるシンボルは、第３の物理チャネルによって占有されるシンボルと異なる。
【手続補正１７】
【補正対象書類名】明細書
【補正対象項目名】００３５
【補正方法】変更
【補正の内容】
【００３５】
第３の態様の第７の可能な実施例に関連して、第３の態様の第８の可能な実施例では、第１の送信ユニットはさらに、第２の端末装置によって送信される第２の参照信号及び第３の物理チャネルを第１の受信ユニットが受信する前に、第２のダウンリンク制御情報を第２の端末装置へ送信するように構成され、第２のダウンリンク制御情報は、第２の参照信号を示すのに用いられる構成情報を含む。
【手続補正１８】
【補正対象書類名】明細書
【補正対象項目名】００３９
【補正方法】変更
【補正の内容】
【００３９】
第４の態様によれば、端末装置が提供され、本端末装置は、第１の参照信号及び第１の物理チャネルを構成するように構成された第２の処理ユニットであって、第１の参照信号はスロット内のｉ番目のシンボルにあり、ｉは７より小さい正の整数であり、第１の物理チャネルはスロット内のｎ個のシンボルを占有し、ｎは１、２、又は３である、第２の処理ユニットと、第１の参照信号及び第１の物理チャネルをネットワーク装置へ送信するように構成された第２の送信ユニットとを含む。
【手続補正１９】
【補正対象書類名】明細書
【補正対象項目名】００４１
【補正方法】変更
【補正の内容】
【００４１】
第４の態様又は第４の態様の第１の可能な実施例に関連して、第４の態様の第２の可能な実施例では、本装置はさらに、第２の処理ユニットが第１の参照信号及び第１の物理チャネルを構成する前に、ネットワーク装置によって送信される第１のダウンリンク制御情報を受信するように構成された第２の受信ユニットを含み、これにより、処理ユニットは第１のダウンリンク制御情報に従って第１の参照信号を構成し、第１のダウンリンク制御情報は、第１の参照信号を示すのに用いられる構成情報を含む。
【手続補正２０】
【補正対象書類名】明細書
【補正対象項目名】００４２
【補正方法】変更
【補正の内容】
【００４２】
第４の態様又は第４の態様の第２の可能な実施例のいずれか１つに関連して、第４の態様の第３の可能な実施例では、第１の参照信号は連続したサブキャリアを占有し、第１の参照信号によって占有されるサブキャリア数は、第１の物理チャネルによって占有されるサブキャリア数より大きい又はそれに等しい。
【手続補正２１】
【補正対象書類名】明細書
【補正対象項目名】００４３
【補正方法】変更
【補正の内容】
【００４３】
第４の態様又は第４の態様の第２の可能な実施例のいずれか１つに関連して、第４の態様の第４の可能な実施例では、第１の参照信号は、周波数ドメインにおいて奇数のサブキャリア又は偶数のサブキャリアを占有し、第１の参照信号によって占有されるサブキャリア数の２倍が、第１の物理チャネルによって占有されるサブキャリア数より大きい又はそれに等しい。
【手続補正２２】
【補正対象書類名】明細書
【補正対象項目名】００４６
【補正方法】変更
【補正の内容】
【００４６】
第４の態様又は第４の態様の第６の可能な実施例のいずれか１つに関連して、第４の態様の第７の可能な実施例では、第１の参照信号がさらに第２の物理チャネルの復調に用いられる場合、第２の処理ユニットはさらに、第２の物理チャネルを構成するように構成され、第２の物理チャネルはスロット内のｍ個のシンボルを占有し、ｍは１、２、又は３であり、第２の物理チャネルによって占有されるシンボルは、第１の物理チャネルによって占有されるシンボルと異なり、第２の送信ユニットはさらに、第２の物理チャネルをネットワーク装置へ送信するように構成される。
【手続補正２３】
【補正対象書類名】明細書
【補正対象項目名】００４７
【補正方法】変更
【補正の内容】
【００４７】
第４の態様の第７の可能な実施例に関連して、第４の態様の第８の可能な実施例では、スロットが７個のシンボルを含み、ｉが４である場合、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は第１の物理チャネルが第２のシンボルセットにあり、第２の物理チャネルが第１のシンボルセットにあることを含み、第１のシンボルセットは７個のシンボルのうち最初の３個を含み、第２のシンボルセットは、７個のシンボルのうち５番目のシンボル、６番目のシンボル、及び７番目のシンボルを含むか、又は第２のシンボルセットは、７個のシンボルのうち５番目のシンボル及び６番目のシンボルを含む。
【手続補正２４】
【補正対象書類名】明細書
【補正対象項目名】００６６
【補正方法】変更
【補正の内容】
【００６６】
本発明の実施形態は、データ伝送方法を提供する。本方法は、端末装置及びネットワーク装置が一緒になって実装され得る。端末装置は、ユーザ機器（Ｕｓｅｒ  Ｅｑｕｉｐｍｅｎｔ、略して「ＵＥ」）、移動局（Ｍｏｂｉｌｅ  Ｓｔａｔｉｏｎ、略して「ＭＳ」）、移動端末（Ｍｏｂｉｌｅ  Ｔｅｒｍｉｎａｌ）などとも呼ばれることがある。端末装置は、無線アクセスネットワーク（Ｒａｄｉｏ  Ａｃｃｅｓｓ  Ｎｅｔｗｏｒｋ、略して「ＲＡＮ」）を用いることで、１つ又は複数のコアネットワークと通信してよい。例えば、端末装置は、携帯電話（「セルラ」電話とも呼ばれる）、移動端末を備えたコンピュータなどであってよい。例えば、端末装置は、携帯型移動体装置、ポケットサイズ型移動体装置、ハンドヘルド型移動体装置、コンピュータ内蔵型移動体装置、又は車載型移動体装置であってよく、移動体装置は、無線アクセスネットワークで音声及び／又はデータを交換する。ネットワーク装置は、ＧＳＭ（登録商標）又はＣＤＭＡの無線基地局装置（Ｂａｓｅ  Ｔｒａｎｓｃｅｉｖｅｒ  Ｓｔａｔｉｏｎ、略して「ＢＴＳ」）であってよく、ＷＣＤＭＡ（登録商標）のＮｏｄｅＢ（ＮｏｄｅＢ、略して「ＮＢ」）であってよく、又は、ＬＴＥの進化型ノードＢ（Ｅｖｏｌｖｅｄ  ＮｏｄｅＢ、略して「ｅＮＢ又はｅＮｏｄｅＢ」）であってもよい。
【手続補正２５】
【補正対象書類名】明細書
【補正対象項目名】００６７
【補正方法】変更
【補正の内容】
【００６７】
本発明の実施形態の技術的解決手段は、様々な通信システム、例えば、移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、略して「ＧＳＭ（登録商標）」）システム、符号分割多元接続（Ｃｏｄｅ  Ｄｉｖｉｓｉｏｎ  Ｍｕｌｔｉｐｌｅ  Ａｃｃｅｓｓ、略して「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）システム、汎用パケット無線サービス（Ｇｅｎｅｒａｌ  Ｐａｃｋｅｔ  Ｒａｄｉｏ  Ｓｅｒｖｉｃｅ、略して「ＧＰＲＳ」）システム、ロングタームエボリューション（Ｌｏｎｇ  Ｔｅｒｍ  Ｅｖｏｌｕｔｉｏｎ、略して「ＬＴＥ」）システム、ＬＴＥ周波数分割複信（Ｆｒｅｑｕｅｎｃｙ  Ｄｉｖｉｓｉｏｎ  Ｄｕｐｌｅｘ、略して「ＦＤＤ」）システム、ＬＴＥ時分割複信（Ｔｉｍｅ  Ｄｉｖｉｓｉｏｎ  Ｄｕｐｌｅｘ、略して「ＴＤＤ」）システム、ユニバーサル移動体通信システム（（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略して「ＵＭＴＳ」）、及び直交周波数分割多重化（ＯＦＤＭ）技術が適用される別の無線通信システムに適用されてよい。
【手続補正２６】
【補正対象書類名】明細書
【補正対象項目名】００７１
【補正方法】変更
【補正の内容】
【００７１】
アップリンクシンボルが、シングルキャリア周波数分割多元接続（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、略してＳＣ−ＦＤＭＡ）シンボルと呼ばれる。ダウンリンクシンボルが、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）シンボルと呼ばれる。直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）のアップリンク多元接続方式が以降の技術に導入される場合、アップリンクシンボルは、ＯＦＤＭシンボルとも呼ばれることがある。本発明の実施形態において、アップリンクシンボル及びダウンリンクシンボルは両方とも、総称してシンボルと呼ばれる。
【手続補正２７】
【補正対象書類名】明細書
【補正対象項目名】００７２
【補正方法】変更
【補正の内容】
【００７２】
物理チャネル（ｐｈｙｓｉｃａｌ  ｃｈａｎｎｅｌ）は、上位層（ｈｉｇｈｅｒ  ｌａｙｅｒ）からのデータ情報を運ぶ。本発明の実施形態では、物理チャネルはＰＵＳＣＨ（ｐｈｙｓｉｃａｌ  ｕｐｌｉｎｋ  ｓｈａｒｅｄ  ｃｈａｎｎｅｌ、ＰＵＳＣＨ、物理アップリンク共有チャネル）、又はＰＵＣＣＨ（ｐｈｙｓｉｃａｌ  ｕｐｌｉｎｋ  ｃｏｎｔｒｏｌ  ｃｈａｎｎｅｌ、物理アップリンク制御チャネル）である。物理信号（ｐｈｙｓｉｃａｌ  ｓｉｇｎａｌ）が物理層に用いられ、物理信号は上位層からのデータ情報を運ばない。好ましくは、本発明の実施形態において、物理信号は参照信号（Ｒｅｆｅｒｅｎｃｅ  Ｓｉｇｎａｌ、略してＲＳ）であり、例えば、アップリンクに用いられる復調参照信号（Ｄｅｍｏｄｕｌａｔｉｏｎ  Ｒｅｆｅｒｅｎｃｅ  Ｓｉｇｎａｌ、略してＤＭＲＳ）、又はサウンディング参照信号（Ｓｏｕｎｄｉｎｇ  ｒｅｆｅｒｅｎｃｅ  ｓｉｇｎａｌ、略してＳＲＳ）である。ネットワーク装置は、物理チャネルごとにＲＳを構成し、このＲＳに従ってチャネル推定を実行し、推定によって取得されたチャネル値に従って物理チャネルを復調する。
【手続補正２８】
【補正対象書類名】明細書
【補正対象項目名】００９８
【補正方法】変更
【補正の内容】
【００９８】
【数１０】
2018538729.tif 000063
が１２又は２４である場合、ベースシーケンスは、４位相偏移変調（Ｑｕａｄｒａｔｕｒｅ  Ｐｈａｓｅ  Ｓｈｉｆｔ  Ｋｅｙｉｎｇ、以下では略してＱＰＳＫ）に基づいた、コンピュータを用いることで求められる特殊シーケンスである。
【手続補正２９】
【補正対象書類名】明細書
【補正対象項目名】０１０２
【補正方法】変更
【補正の内容】
【０１０２】
図３は、本発明の一実施形態による、標準ＣＰにおける参照信号及び物理チャネルの概略図である。図３に示されるように、横方向が時間ドメインであり、縦方向が周波数ドメインである。参照信号３０１は４番目のシンボルを占有し、参照信号３０１は連続したサブキャリアを占有する。物理チャネルは、第１のシンボルセット３０２にあり、第１のシンボルセットは、１番目のシンボルから３番目のシンボルを占有する。物理チャネルも連続したサブキャリアを占有する。
【手続補正３０】
【補正対象書類名】明細書
【補正対象項目名】０１１１
【補正方法】変更
【補正の内容】
【０１１１】
前述の第１の方法において、初期のＲＳシーケンスを間隔をあけてサンプリングすることで取得されるＲＳシーケンスは、例えば、低キュービックメトリック（Ｃｕｂｉｃ  ｍｅｔｒｉｃ、ＣＭ）性能及び低相関性能といったＺＣシーケンス性能を依然として比較的よく保っている。さらに、第１のセルのＲＳが（１ｍｓのＴＴＩでデータ伝送する）連続したサブキャリアにマッピングされ、第２のセルのＲＳが（短ＴＴＩでデータ伝送する）間隔をあけたサブキャリアにマッピングされる場合、第１のセルのＲＳ及び第２のセルのＲＳが部分的に又は完全に重なり合っていても、２個のＲＳ間で比較的低い相関が取得され得る。
【手続補正３１】
【補正対象書類名】明細書
【補正対象項目名】０１１６
【補正方法】変更
【補正の内容】
【０１１６】
図４は、本発明の一実施形態による、標準ＣＰにおける第１の参照信号及び第１の物理チャネルの概略図である。図４に示されるように、横方向が時間ドメインであり、縦方向が周波数ドメインであり、それぞれの縦の列が１個のシンボルを表し、それぞれの横の列が１個のサブキャリアを表す。
第１の参照信号４０１は、時間ドメインの４番目のシンボルを占有し、第１の参照信号４０１は、周波数ドメインの偶数のサブキャリアを占有する。第１の物理チャネルは、第２のシンボルセット４０３にある。第２のシンボルセット４０３は、５番目から７番目のシンボルを占有する。第１の物理チャネルは、連続したサブキャリアを占有する。図４では、第１の参照信号４０１は６個のサブキャリアを占有し、第１の物理チャネルは、１２個のサブキャリアを占有する。第１の参照信号４０１によって占有されるサブキャリア数の２倍が１２であり、これは、第１の物理チャネルによって占有されるサブキャリア数に等しい。
【手続補正３２】
【補正対象書類名】明細書
【補正対象項目名】０１３４
【補正方法】変更
【補正の内容】
【０１３４】
好ましくは、ＣＰが標準ＣＰである場合、ｉ＝４であるならば、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は、第１の物理チャネルが第２のシンボルセットにあり、第２の物理チャネルが第１のシンボルセットにあることを含む。
【手続補正３３】
【補正対象書類名】明細書
【補正対象項目名】０１３５
【補正方法】変更
【補正の内容】
【０１３５】
同様に、好ましくは、ＣＰが拡張ＣＰである場合、ｉ＝３であるならば、第２の物理チャネルによって占有されるシンボルが第１の物理チャネルによって占有されるシンボルと異なるということは、第１の物理チャネルが第１のシンボルセットにあり、第２の物理チャネルが第２のシンボルセットにあるか、又は、第１の物理チャネルが第２のシンボルセットにあり、第２の物理チャネルが第１のシンボルセットにあることを含む。
【手続補正３４】
【補正対象書類名】明細書
【補正対象項目名】０１４０
【補正方法】変更
【補正の内容】
【０１４０】
図７は、本発明の一実施形態による、標準ＣＰにおける参照信号及び物理チャネルの概略図である。図７に示されるように、参照信号７０１は、時間ドメインにおいて４番目のシンボルを占有し、周波数ドメインにおいて偶数のサブキャリアを占有する、すなわち、合計６個のサブキャリアを占有する。第１の物理チャネルが第１のシンボルセット７０２及び１２個のサブキャリアを占有し、第２の物理チャネルが第２のシンボルセット７０３及び１２個のサブキャリアを占有する。
【手続補正３５】
【補正対象書類名】明細書
【補正対象項目名】０１５１
【補正方法】変更
【補正の内容】
【０１５１】
任意選択で、第１の参照信号及び第２の参照信号は、参照信号タイプ１である。具体的には、第１の参照信号及び第２の参照信号は、同じシンボル及び同じサブキャリアを占有する。第１のＲＳ及び第２のＲＳには、同じベースシーケンスが用いられるが、巡回シフトが異なる方式で実行される。第１のＲＳ及び第２のＲＳは、１個のセルに存在するか、又はアップリンクＣｏＭＰをサポートする２個のセルに存在する。同じベースシーケンスに対して巡回シフトを実行することで取得される２個のシーケンスの間には、比較的良好な直交性がある。したがって、ネットワーク装置は、物理チャネル復調パフォーマンス、又はチャネル品質検出パフォーマンスを保証することができる。
【手続補正３６】
【補正対象書類名】明細書
【補正対象項目名】０１５４
【補正方法】変更
【補正の内容】
【０１５４】
任意選択で、第１の参照信号及び第２の参照信号は参照信号タイプ３である。具体的には、第１の参照信号及び第２の参照信号は、時間ドメインにおいて同じシンボルを占有し、周波数ドメインにおいて完全に又は部分的に同じである伝送ユニットを占有する。第１のＲＳ及び第２のＲＳは、１個のセルに存在するか、又はアップリンクＣｏＭＰをサポートする２個のセルに存在する。完全に又は部分的に同じである伝送ユニットでは、第１の参照信号に対応するユニットシーケンス及び第２の参照信号に対応するユニットシーケンスに対して、同じベースシーケンスが用いられ、巡回シフトが異なる方式で実行される。同じベースシーケンスに対して巡回シフトを実行することで取得される２個のシーケンスの間には、比較的良好な直交性がある。したがって、ネットワーク装置は、物理チャネル復調パフォーマンス、又はチャネル品質検出パフォーマンスを保証することができる。参照信号タイプ３では、第１のＲＳ及び第２のＲＳの長さは、同じであることに厳密に限定される必要はない。したがって、ＲＳタイプ３は、ＲＳタイプ１と比較してより柔軟である。しかしながら、ＲＳが少なくとも２個のユニットシーケンスを含む場合、ＣＭが増加し、端末の電力増幅器効率に影響を及ぼす。
【手続補正３７】
【補正対象書類名】明細書
【補正対象項目名】０１７７
【補正方法】変更
【補正の内容】
【０１７７】
第１の物理チャネルは第１のシンボルセットにあり、第２の物理チャネルは第２のシンボルセットにあるか、又は第１の物理チャネルは第２のシンボルセットにあり、第２の物理チャネルは第１のシンボルセットにある。第１のシンボルセット及び第２のシンボルセットのシンボルについては、前述の実施形態の段階２０１の説明を参照されたい。詳細がここで再度説明されることはない。
【手続補正３８】
【補正対象書類名】明細書
【補正対象項目名】０１９５
【補正方法】変更
【補正の内容】
【０１９５】
第１の物理チャネルは第１のシンボルセットにあり、第２の物理チャネルは第２のシンボルセットにあるか、又は第１の物理チャネルは第２のシンボルセットにあり、第２の物理チャネルは第１のシンボルセットにある。第１のシンボルセット及び第２のシンボルセットのシンボルについては、前述の実施形態の段階２０１の説明を参照されたい。詳細がここで再度説明されることはない。
【手続補正３９】
【補正対象書類名】明細書
【補正対象項目名】０１９７
【補正方法】変更
【補正の内容】
【０１９７】
任意選択で、第１の受信ユニット１１０１はさらに、第２の端末装置１００３によって送信される第２の参照信号及び第３の物理チャネルを受信するように構成され、第２の参照信号はスロット内のｉ番目のシンボルにあり、ｉは７より小さい正の整数であり、第３の物理チャネルはスロット内のｐ個のシンボルを占有し、ｐは１、２、又は３である。
【手続補正４０】
【補正対象書類名】明細書
【補正対象項目名】０２００
【補正方法】変更
【補正の内容】
【０２００】
任意選択で、第１の送信ユニットはさらに、第２の端末装置によって送信される第２の参照信号及び第３の物理チャネルを第１の受信ユニットが受信する前に、第２のダウンリンク制御情報を第２の端末装置へ送信するように構成され、第２のダウンリンク制御情報は、第２の参照信号を示すのに用いられる構成情報を含む。第２の参照信号の構成情報については、段階２０１の説明を参照されたい。詳細がここで再度説明されることはない。
【手続補正４１】
【補正対象書類名】明細書
【補正対象項目名】０２０２
【補正方法】変更
【補正の内容】
【０２０２】
任意選択で、第１の参照信号及び第２の参照信号は、参照信号タイプ１である。具体的には、第１の参照信号及び第２の参照信号は、同じシンボル及び同じサブキャリアを占有する。第１のＲＳ及び第２のＲＳには、同じベースシーケンスが用いられるが、巡回シフトが異なる方式で実行される。
【手続補正４２】
【補正対象書類名】明細書
【補正対象項目名】０２０４
【補正方法】変更
【補正の内容】
【０２０４】
任意選択で、第１の参照信号及び第２の参照信号は、参照信号タイプ３である。具体的には、第１の参照信号及び第２の参照信号は、時間ドメインにおいて同じシンボルを占有し、周波数ドメインにおいて完全に又は部分的に同じである伝送ユニットを占有する。完全に又は部分的に同じである伝送ユニットでは、第１の参照信号に対応するユニットシーケンス及び第２の参照信号に対応するユニットシーケンスに対して、同じベースシーケンスが用いられ、巡回シフトが異なる方式で実行される。
【手続補正４３】
【補正対象書類名】明細書
【補正対象項目名】０２０８
【補正方法】変更
【補正の内容】
【０２０８】
任意選択で、第１の処理ユニット１１０２は、長さが第１の物理チャネルによって占有されるサブキャリア数より大きい又はそれに等しいベースシーケンスを生成し、初期の参照信号シーケンスを取得するために、ベースシーケンスに対して巡回シフトを実行し、第１の参照信号のシーケンスを取得するために、初期の参照信号シーケンスを間隔をあけてサンプリングし、第１の参照信号のシーケンスに従って第１の物理チャネルを復調するように構成される。
【手続補正４４】
【補正対象書類名】明細書
【補正対象項目名】０２１９
【補正方法】変更
【補正の内容】
【０２１９】
任意選択で、端末装置はさらに、第２の処理ユニット１２０１が第１の参照信号及び第１の物理チャネルを構成する前に、ネットワーク装置によって送信される第１のダウンリンク制御情報を受信するように構成された第２の受信ユニット１２０３を含み、第１のダウンリンク制御情報は、第１の参照信号を示すのに用いられる構成情報を含む。具体的な構成情報については、段階２０１の説明を参照されたい。詳細がここで再度説明されることはない。
【手続補正４５】
【補正対象書類名】明細書
【補正対象項目名】０２２６
【補正方法】変更
【補正の内容】
【０２２６】
第１の物理チャネルは第１のシンボルセットにあり、第２の物理チャネルは第２のシンボルセットにあるか、又は第１の物理チャネルは第２のシンボルセットにあり、第２の物理チャネルは第１のシンボルセットにある。第１のシンボルセット及び第２のシンボルセットのシンボルについては、前述の実施形態の段階２０１の説明を参照されたい。詳細がここで再度説明されることはない。
【手続補正４６】
【補正対象書類名】明細書
【補正対象項目名】０２２８
【補正方法】変更
【補正の内容】
【０２２８】
本実施形態において、第２の受信ユニット１２０３は、ネットワーク装置によって送信されるダウンリンク制御情報を受信し、第２の処理ユニット１２０１は、第１の参照信号及び第１の物理チャネルを構成し、第２の送信ユニット１２０２は、第１の参照信号及び第１の物理チャネルをネットワーク装置へ送信する。本発明の別の実施形態において、第２の送信ユニット１２０２はさらに、第２の物理チャネルをネットワーク装置へ送信してよい。
【国際調査報告】
2018538729.tif 000064
2018538729.tif 000065
2018538729.tif 000066
2018538729.tif 000067
2018538729.tif 000068
2018538729.tif 000069